(57)【特許請求の範囲】
【請求項１】
商品画像を解析して得られる特徴量を座標軸とする空間上に、複数の前記商品画像を各々の前記特徴量に応じて配置させた配置画像を表示部に表示させる表示制御部と、
前記表示部による前記配置画像の表示後、当該表示部の表示面の一部の領域を指定する領域指定操作の入力を受け付けて、前記表示面内に着目領域を設定する着目領域設定部と、を備え、
前記表示制御部は、前記着目領域設定部による前記着目領域の設定が行われた場合に、前記表示面内において前記着目領域の外側にある前記商品画像を、当該表示面の端部に移動させる第１の移動処理を行い、
前記表示制御部は、前記着目領域設定部により前記着目領域が設定された場合に、当該着目領域の内側にある前記商品画像の数が予め定めた第１の閾値よりも多い場合、前記着目領域の内側にある前記商品画像を前記空間上で拡大した拡大画像を生成し、前記表示部の表示を前記拡大画像の表示に切り替える拡大画像表示切替処理を行い、当該商品画像の数が前記第１の閾値以下である場合、前記第１の移動処理を行う商品画像表示制御装置。
【請求項２】
前記表示制御部は、前記第１の移動処理により前記表示面の端部に移動された前記商品画像を指定する商品画像指定操作の入力を受け付けた場合に、前記商品画像指定操作で指定された前記商品画像を前記着目領域まで移動させる第２の移動処理を行う請求項１に記載の商品画像表示制御装置。
【請求項３】
前記表示制御部は、前記着目領域設定部により設定された前記着目領域の内側にある前記商品画像の数が前記第１の閾値以下となるまで、当該着目領域設定部により前記着目領域の設定が行われる度に前記拡大画像表示切替処理を繰り返し行う請求項１又は２に記載の商品画像表示制御装置。
【請求項４】
前記表示制御部は、前記第１の移動処理の後、前記着目領域設定部により前記着目領域内に新たな前記着目領域が設定された場合、前記第１の移動処理を繰り返し行う請求項１から３のいずれか１項に記載の商品画像表示制御装置。
【請求項５】
前記表示制御部は、前記着目領域の内側にある前記商品画像の数が、前記表示面のサイズに応じて予め決定される第２の閾値以下となった場合、前記表示部の表示を、当該商品画像のスライド表示に切り替えるスライド表示切替処理を行う請求項４に記載の商品画像表示制御装置。
【請求項６】
前記商品画像は、写真画像を合成する合成領域を有するポストカードのテンプレート画像であり、
前記テンプレート画像の前記合成領域に合成する前記写真画像の候補を記憶する候補画像記憶部から、前記候補を取得する候補画像取得部を備え、
前記表示制御部は、前記スライド表示切替処理を行った場合、前記テンプレート画像と、前記候補画像取得部が取得した前記候補とを前記表示面に表示させる請求項５に記載の商品画像表示制御装置。
【請求項７】
商品画像を解析して得られる特徴量を座標軸とする空間上に、複数の前記商品画像を各々の前記特徴量に応じて配置させた配置画像を表示部に表示させる表示制御部と、
前記表示部による前記配置画像の表示後、当該表示部の表示面の一部の領域を指定する領域指定操作の入力を受け付けて、前記表示面内に着目領域を設定する着目領域設定部と、を備え、
前記表示制御部は、前記着目領域設定部による前記着目領域の設定が行われた場合に、前記表示面内において前記着目領域の外側にある前記商品画像を、当該表示面の端部に移動させる第１の移動処理を行い、
前記表示制御部は、前記第１の移動処理の後、前記着目領域設定部により前記着目領域内に新たな前記着目領域が設定された場合、前記第１の移動処理を繰り返し行い、
前記表示制御部は、前記着目領域の内側にある前記商品画像の数が、前記表示面のサイズに応じて予め決定される第２の閾値以下となった場合、前記表示部の表示を、当該商品画像のスライド表示に切り替えるスライド表示切替処理を行い、
前記商品画像は、写真画像を合成する合成領域を有するポストカードのテンプレート画像であり、
前記テンプレート画像の前記合成領域に合成する前記写真画像の候補を記憶する候補画像記憶部から、前記候補を取得する候補画像取得部を備え、
前記表示制御部は、前記スライド表示切替処理を行った場合、前記テンプレート画像と、前記候補画像取得部が取得した前記候補とを前記表示面に表示させる商品画像表示制御装置。
【請求項８】
前記表示制御部は、前記表示面内に表示されている前記候補を前記テンプレート画像の前記合成領域まで移動させる移動操作の入力を受け付けた場合に、当該候補を当該合成領域に合成した合成画像を生成し、前記合成画像を前記表示面に表示させる請求項６又は７に記載の商品画像表示制御装置。
【請求項９】
前記テンプレート画像の配色と、前記合成領域に合成する前記写真画像の配色との配色組み合わせを決定する組み合わせ決定部を備え、
前記候補画像取得部は、前記組み合わせ決定部が決定した前記配色組み合わせに基づいて、前記表示面に前記スライド表示される前記テンプレート画像の配色に対応した配色を有する前記候補を前記候補画像記憶部から取得する請求項６から８のいずれか１項に記載の商品画像表示制御装置。
【請求項１０】
前記候補画像取得部は、前記表示面に前記スライド表示される前記テンプレート画像の主要色と、前記候補画像記憶部に記憶されている前記候補の主要色とを判別し、前記配色組み合わせに基づいて前記テンプレート画像の主要色に対応する主要色を有する前記候補の選別を行い、前記選別の結果に基づいて前記候補画像記憶部から前記候補を取得する請求項９に記載の商品画像表示制御装置。
【請求項１１】
前記表示制御部による前記表示面への前記配置画像の表示前に、ユーザの嗜好に対応した前記特徴量の傾向を示す嗜好情報を取得する嗜好情報取得部を備え、
前記表示制御部は、前記嗜好情報取得部が取得した前記嗜好情報に基づき、複数の前記商品画像の中から当該嗜好情報が示す前記特徴量の傾向に対応した前記商品画像を選択し、選択した当該商品画像に対応する前記配置画像を前記表示部に表示させる請求項１から１０のいずれか１項に記載の商品画像表示制御装置。
【請求項１２】
前記着目領域設定部は、前記領域指定操作で指定された前記一部の領域を前記着目領域として設定する第１の設定モードと、前記領域指定操作で指定された前記一部の領域とは異なる前記表示面内の領域を前記着目領域として設定する第２の設定モードと、を有する請求項１から１１のいずれか１項に記載の商品画像表示制御装置。
【請求項１３】
前記表示制御部は、前記表示面内において複数の前記商品画像のうちの一の商品画像により別の商品画像が覆われる場合、前記一の商品画像の位置と前記別の商品画像の位置との少なくとも一方を他方から遠ざかる方向にずらす請求項１から１２のいずれか１項に記載の商品画像表示制御装置。
【請求項１４】
前記着目領域設定部は、前記領域指定操作として、前記表示面に対するタッチ位置を変化させながら前記一部の領域を指定する軌跡を描くタッチ操作の入力を受け付け、前記タッチ操作の入力結果に基づき前記着目領域の設定を行う請求項１から１３のいずれか１項に記載の商品画像表示制御装置。
【請求項１５】
前記タッチ操作は、前記表示面内の一部の領域を複数指定する場合、複数の前記一部の領域をそれぞれ指定する軌跡を一筆で描く操作である請求項１４に記載の商品画像表示制御装置。
【請求項１６】
前記着目領域設定部は、前記領域指定操作として、前記表示面内をタッチして前記一部の領域の中心位置を決定し、且つタッチ時間に応じて当該一部の領域の大きさを決定するタッチ操作の入力を受け付け、前記タッチ操作の入力結果に基づき前記着目領域の設定を行う請求項１から１３のいずれか１項に記載の商品画像表示制御装置。
【請求項１７】
前記表示制御部は、前記着目領域設定部が設定した前記着目領域内に少なくとも一部が含まれている前記商品画像を、前記着目領域の内側にある前記商品画像と判定し、当該商品画像を前記第１の移動処理の対象外とする請求項１から１６のいずれか１項に記載の商品画像表示制御装置。
【請求項１８】
商品画像を解析して得られる特徴量を座標軸とする空間上に、複数の前記商品画像を各々の前記特徴量に応じて配置させた配置画像を表示部に表示させる表示制御ステップと、
前記表示部による前記配置画像の表示後、当該表示部の表示面の一部の領域を指定する領域指定操作の入力を受け付けて、前記表示面内に着目領域を設定する着目領域設定ステップと、を有し、
前記表示制御ステップは、前記着目領域設定ステップにて前記着目領域の設定が行われた場合に、前記表示面内において前記着目領域の外側にある前記商品画像を、当該表示面の端部に移動させる第１の移動処理を行い、
前記表示制御ステップは、前記着目領域設定ステップにて前記着目領域が設定された場合に、当該着目領域の内側にある前記商品画像の数が予め定めた第１の閾値よりも多い場合、前記着目領域の内側にある前記商品画像を前記空間上で拡大した拡大画像を生成し、前記表示部の表示を前記拡大画像の表示に切り替える拡大画像表示切替処理を行い、当該商品画像の数が前記第１の閾値以下である場合、前記第１の移動処理を行う商品画像表示制御方法。
【請求項１９】
商品画像を解析して得られる特徴量を座標軸とする空間上に、複数の前記商品画像を各々の前記特徴量に応じて配置させた配置画像を表示部に表示させる表示制御ステップと、
前記表示部による前記配置画像の表示後、当該表示部の表示面の一部の領域を指定する領域指定操作の入力を受け付けて、前記表示面内に着目領域を設定する着目領域設定ステップと、をコンピュータに実行させるプログラムであって、
前記表示制御ステップは、前記着目領域設定ステップにて前記着目領域の設定が行われた場合に、前記表示面内において前記着目領域の外側にある前記商品画像を、当該表示面の端部に移動させる第１の移動処理を行い、
前記表示制御ステップは、前記着目領域設定ステップにて前記着目領域が設定された場合に、当該着目領域の内側にある前記商品画像の数が予め定めた第１の閾値よりも多い場合、前記着目領域の内側にある前記商品画像を前記空間上で拡大した拡大画像を生成し、前記表示部の表示を前記拡大画像の表示に切り替える拡大画像表示切替処理を行い、当該商品画像の数が前記第１の閾値以下である場合、前記第１の移動処理を行うプログラム。
【発明の詳細な説明】
【技術分野】
【０００１】
本発明は、複数の商品画像を表示部の表示面に表示させる商品画像表示制御装置及び商品画像表示制御方法及びプログラムに関する。
【背景技術】
【０００２】
近年、ポストカードのデザイン（絵柄）は嗜好の異なるユーザの要望に応えるために多種多様であり、様々なデザインのポストカードのテンプレート画像データが例えばインターネット上のプリントサービス用のサーバに保存されている。そして、携帯電子機器やパーソナルコンピュータあるいは店頭端末などの各種の端末を操作して、プリントサービス用のサーバにアクセスして、サーバから端末に多種のテンプレート画像データをダウンロードし、テンプレート画像データの一覧を端末に表示させることができる。これにより、端末のユーザは、端末に表示されているテンプレート画像データの一覧の中から所望のテンプレート画像データを選択することができる。
【０００３】
特許文献１には、ユーザに対して複数のデザインの選択肢を提示し、この選択肢の中からユーザが選択した選択結果に基づいてユーザの嗜好傾向を分析し、分析したユーザの嗜好傾向に応じたデザインを備えた商品画像をユーザに提示する方法が開示されている。これにより、ユーザは嗜好傾向に合致した商品画像を効率良く検索することができる。
【０００４】
特許文献２には、多数の画像を表示している表示部の表示面の一部の領域をタッチ操作等で指定した場合に、この一部の領域内にある画像を表示部に拡大表示させる表示装置が開示されている。また、特許文献３には、多数のコンテンツ情報を表示している表示部の表示面の一部の領域をタッチ操作等で指定した場合に、この一部の領域内にあるコンテンツ情報を表示部に拡大表示させるコンテンツ情報検索装置が開示されている。これにより、ユーザは好みの画像やコンテンツを効率良く検索することができる。
【先行技術文献】
【特許文献】
【０００５】
【特許文献１】特開２００３−１４１１８０号公報
【特許文献２】特開２０１１−０６０１１１号公報
【特許文献３】特開２００７−１７９４００号公報
【発明の概要】
【発明が解決しようとする課題】
【０００６】
しかしながら、特許文献１には、ユーザの嗜好傾向に応じたデザインを備えた商品画像をユーザに提示する発明が開示されているが、例えばポストカードのテンプレート画像データは種類が非常に多い。このため、ユーザの嗜好傾向に応じたデザインを備えたテンプレート画像データが多数存在している場合には、端末の表示部に表示されるテンプレート画像データの数も多くなる。その結果、ユーザが好みのデザインのテンプレート画像データを選択する際の負荷が大きくなる、すなわち、選択に時間がかかってしまうという問題が発生する。
【０００７】
また、特許文献２及び特許文献３には、表示部の表示面内のタッチ操作等で指定された領域を拡大表示する発明が開示されているが、これらの発明では、タッチ操作等で指定された領域外にあるテンプレート画像データが表示面に表示されなくなる。その結果、ユーザは、タッチ操作で指定した領域外にあるテンプレート画像データを確認することができなくなるので、ユーザの選択肢が減少してしまうという問題が発生する。
【０００８】
本発明はこのような事情に鑑みてなされたものであり、ユーザの選択肢を減らすことなくユーザが所望の商品画像を効率良く検索することができる商品画像表示制御装置及び商品画像表示制御方法及びプログラムを提供することを目的とする。
【課題を解決するための手段】
【０００９】
本発明の目的を達成するための商品画像表示制御装置は、商品画像を解析して得られる特徴量を座標軸とする空間上に、複数の商品画像を各々の特徴量に応じて配置させた配置画像を表示部に表示させる表示制御部と、表示部による配置画像の表示後、表示部の表示面の一部の領域を指定する領域指定操作の入力を受け付けて、表示面内に着目領域を設定する着目領域設定部と、を備え、表示制御部は、着目領域設定部による着目領域の設定が行われた場合に、表示面内において着目領域の外側にある商品画像を、表示面の端部に移動させる第１の移動処理を行う。
【００１０】
この商品画像表示制御装置によれば、着目領域の外側にある商品画像を表示面内に残した状態のまま、表示面内において着目領域の内側にある商品画像をユーザが容易に識別することができるので、商品画像が多数存在している場合でも選択対象となる商品画像の数を減らすことができ、且つユーザは着目領域の外側にある商品画像をいつでも確認することができる。
【００１１】
本発明の他の態様に係る商品画像表示制御装置において、表示制御部は、第１の移動処理により表示面の端部に移動された商品画像を指定する商品画像指定操作の入力を受け付けた場合に、商品画像指定操作で指定された商品画像を着目領域まで移動させる第２の移動処理を行う。これにより、第１の移動処理により表示面の端部に移動させた商品画像を再び着目領域まで戻すことができるため、ユーザの選択肢を減らすことが防止される。
【００１２】
本発明の他の態様に係る商品画像表示制御装置において、表示制御部は、着目領域設定部により着目領域が設定された場合に、着目領域の内側にある商品画像の数が予め定めた第１の閾値よりも多い場合、着目領域の内側にある商品画像を空間上で拡大した拡大画像を生成し、表示部の表示を拡大画像の表示に切り替える拡大画像表示切替処理を行い、商品画像の数が第１の閾値以下である場合、第１の移動処理を行う。これにより、着目領域内の商品画像の数が非常に多くなる場合に、表示部に表示される商品画像の数を減らすことができるので、ユーザは効率良く商品画像を選択することができる。
【００１３】
本発明の他の態様に係る商品画像表示制御装置において、表示制御部は、着目領域設定部により設定された着目領域の内側にある商品画像の数が第１の閾値以下となるまで、着目領域設定部により着目領域の設定が行われる度に拡大画像表示切替処理を繰り返し行う。これにより、着目領域内の商品画像の数が非常に多くなる場合に、表示部に表示される商品画像の数を減らすことができるので、ユーザは効率良く商品画像を選択することができる。
【００１４】
本発明の他の態様に係る商品画像表示制御装置において、表示制御部は、第１の移動処理の後、着目領域設定部により着目領域内に新たな着目領域が設定された場合、第１の移動処理を繰り返し行う。これにより、選択対象となる商品画像の数を減らすことができ、且つユーザは着目領域の外側にある商品画像をいつでも確認することができる。
【００１５】
本発明の他の態様に係る商品画像表示制御装置において、表示制御部は、着目領域の内側にある商品画像の数が、表示面のサイズに応じて予め決定される第２の閾値以下となった場合、表示部の表示を、商品画像のスライド表示に切り替えるスライド表示切替処理を行う。これにより、着目領域内の商品画像の数がある程度絞られた場合、商品画像を上述の空間上に配置した表示を行う場合よりもユーザは所望の商品画像を発見し易くなる。その結果、ユーザは効率良く商品画像を選択することができる。
【００１６】
本発明の他の態様に係る商品画像表示制御装置において、商品画像は、写真画像を合成する合成領域を有するポストカードのテンプレート画像であり、テンプレート画像の合成領域に合成する写真画像の候補を記憶する候補画像記憶部から、候補を取得する候補画像取得部を備え、表示制御部は、スライド表示切替処理を行った場合、テンプレート画像と、候補画像取得部が取得した候補とを表示面に表示させる。これにより、テンプレート画像データの合成領域に合成するのに適した写真画像の候補をユーザが検索することができる。
【００１７】
本発明の他の態様に係る商品画像表示制御装置において、表示制御部は、表示面内に表示されている候補をテンプレート画像の合成領域まで移動させる移動操作の入力を受け付けた場合に、候補を合成領域に合成した合成画像を生成し、合成画像を表示面に表示させる。これにより、実際の合成画像をユーザが確認することができるので、ユーザは、テンプレート画像の合成領域に合成するのに適した写真画像の候補を選択することができる。
【００１８】
本発明の他の態様に係る商品画像表示制御装置において、テンプレート画像の配色と、合成領域に合成する写真画像の配色との配色組み合わせを決定する組み合わせ決定部を備え、候補画像取得部は、組み合わせ決定部が決定した配色組み合わせに基づいて、表示面にスライド表示されるテンプレート画像の配色に対応した配色を有する候補を候補画像記憶部から取得する。これにより、表示部に表示させる写真画像の候補を絞ることができるので、テンプレート画像の合成領域に合成するのに適した写真画像の候補を効率良く検索することができる。
【００１９】
本発明の他の態様に係る商品画像表示制御装置において、候補画像取得部は、表示面にスライド表示されるテンプレート画像の主要色と、候補画像記憶部に記憶されている候補の主要色とを判別し、配色組み合わせに基づいてテンプレート画像の主要色に対応する主要色を有する候補の選別を行い、選別の結果に基づいて候補画像記憶部から候補を取得する。これにより、表示部に表示させる写真画像の候補を絞ることができるので、テンプレート画像の合成領域に合成するのに適した写真画像の候補を効率良く検索することができる。
【００２０】
本発明の他の態様に係る商品画像表示制御装置において、表示制御部による表示面への配置画像の表示前に、ユーザの嗜好に対応した特徴量の傾向を示す嗜好情報を取得する嗜好情報取得部を備え、表示制御部は、嗜好情報取得部が取得した嗜好情報に基づき、複数の商品画像の中から嗜好情報が示す特徴量の傾向に対応した商品画像を選択し、選択した商品画像に対応する配置画像を表示部に表示させる。これにより、商品画像が多数存在している場合でも、上述の空間上に表示される商品画像の数を減らすことができるので、ユーザは着目領域の設定を効率良く行うことができる。
【００２１】
本発明の他の態様に係る商品画像表示制御装置において、着目領域設定部は、領域指定操作で指定された一部の領域を着目領域として設定する第１の設定モードと、領域指定操作で指定された一部の領域とは異なる表示面内の領域を着目領域として設定する第２の設定モードと、を有する。これにより、ユーザの領域指定操作の選択肢を広げることができる。
【００２２】
本発明の他の態様に係る商品画像表示制御装置において、表示制御部は、表示面内において複数の商品画像のうちの一の商品画像により別の商品画像が覆われる場合、一の商品画像の位置と別の商品画像の位置との少なくとも一方を他方から遠ざかる方向にずらす。これにより、ユーザは、別の商品画像により覆われていた一の商品画像のデザインを確認することができる。
【００２３】
本発明の他の態様に係る商品画像表示制御装置において、着目領域設定部は、領域指定操作として、表示面に対するタッチ位置を変化させながら一部の領域を指定する軌跡を描くタッチ操作の入力を受け付け、タッチ操作の入力結果に基づき着目領域の設定を行う。これにより、領域指定操作をタッチ操作で行えるので、領域指定操作を簡単に行うことができる。
【００２４】
本発明の他の態様に係る商品画像表示制御装置において、タッチ操作は、表示面内の一部の領域を複数指定する場合、複数の一部の領域をそれぞれ指定する軌跡を一筆で描く操作である。これにより、１回のタッチ操作で複数の一部の領域を同時に指定することができる。
【００２５】
本発明の他の態様に係る商品画像表示制御装置において、着目領域設定部は、領域指定操作として、表示面内をタッチして一部の領域の中心位置を決定し、且つタッチ時間に応じて一部の領域の大きさを決定するタッチ操作の入力を受け付け、タッチ操作の入力結果に基づき着目領域の設定を行う。これにより、領域指定操作をタッチ操作で行えるので、領域指定操作を簡単に行うことができる。
【００２６】
本発明の他の態様に係る商品画像表示制御装置において、表示制御部は、着目領域設定部が設定した着目領域内に少なくとも一部が含まれている商品画像を、着目領域の内側にある商品画像と判定し、商品画像を第１の移動処理の対象外とする。商品画像の全部を含むように着目領域の設定を行う必要がなくなるので、着目領域設定（領域指定操作）を簡単に行うことができる。
【００２７】
本発明の目的を達成するための商品画像表示制御方法は、商品画像を解析して得られる特徴量を座標軸とする空間上に、複数の商品画像を各々の特徴量に応じて配置させた配置画像を表示部に表示させる表示制御ステップと、表示部による配置画像の表示後、表示部の表示面の一部の領域を指定する領域指定操作の入力を受け付けて、表示面内に着目領域を設定する着目領域設定ステップと、を有し、表示制御ステップは、着目領域設定ステップにて着目領域の設定が行われた場合に、表示面内において着目領域の外側にある商品画像を、表示面の端部に移動させる第１の移動処理を行う。
【００２８】
本発明の目的を達成するためのプログラムは、商品画像を解析して得られる特徴量を座標軸とする空間上に、複数の商品画像を各々の特徴量に応じて配置させた配置画像を表示部に表示させる表示制御ステップと、表示部による配置画像の表示後、表示部の表示面の一部の領域を指定する領域指定操作の入力を受け付けて、表示面内に着目領域を設定する着目領域設定ステップと、をコンピュータに実行させるプログラムであって、表示制御ステップは、着目領域設定ステップにて着目領域の設定が行われた場合に、表示面内において着目領域の外側にある商品画像を、表示面の端部に移動させる第１の移動処理を行う。
【発明の効果】
【００２９】
本発明の商品画像表示制御装置及び商品画像表示制御方法及びプログラムは、ユーザの選択肢を減らすことなくユーザが所望の商品画像を効率良く検索することができる。
【図面の簡単な説明】
【００３０】
【図１】第１実施形態のタブレット端末の正面図である。
【図２】タブレット端末の電気的構成を示すブロック図である。
【図３】画像解析部による画像解析データの作成手順を説明するための説明図である。
【図４】感性空間に配置される感性語を示す言語イメージスケールの説明図である。
【図５】感性空間に配置される単色（基本カラーパレットの１３０色）の単色イメージスケールの説明図である。
【図６】感性空間に配置される３色配色のイメージスケールの説明図である。
【図７】選択画面の正面図である。
【図８】選択画面を表示している表示部の正面図である。
【図９】（Ａ），（Ｂ）は、表示部の表示面内においてテンプレート画像データ同士が重なる場合の表示制御部の表示制御について説明するための説明図である。
【図１０】領域指定操作について説明するための説明図である。
【図１１】表示制御部が、着目領域の内側にあるテンプレート画像データと着目領域の外側にあるテンプレート画像データとを識別する識別処理を説明するための説明図である。
【図１２】表示制御部による第１の移動処理を説明するための説明図である。
【図１３】図１２に示した第１の移動処理後の新たな領域指定操作による着目領域の設定について説明するための説明図である。
【図１４】図１３に示した新たな着目領域の設定が行われた場合の第１の移動処理について説明するための説明図である。
【図１５】表示制御部による第２の移動処理を説明するための説明図である。
【図１６】第１実施形態のタブレット端末による選択画面の表示処理の流れを示すフローチャートである。
【図１７】第２実施形態の表示制御部による拡大画像表示切替処理を説明するための説明図である。
【図１８】図１７に示した拡大画像表示切替処理後の新たな領域指定操作による着目領域の設定について説明するための説明図である。
【図１９】図１８に示した新たな着目領域の設定後の拡大画像表示切替処理について説明するための説明図である。
【図２０】図１９に示した拡大画像表示切替処理後の新たな領域指定操作による着目領域の設定について説明するための説明図である。
【図２１】図２０に示した新たな着目領域の設定に伴う第１の移動処理について説明するための説明図である。
【図２２】第２実施形態のタブレット端末によるテンプレート画像データの表示処理の流れを示すフローチャートである。
【図２３】第３実施形態のタブレット端末の電気的構成を示すブロック図である。
【図２４】第３実施形態の表示制御部によるスライド表示切替処理を説明するための説明図である。
【図２５】第３実施形態の表示制御部による合成画像データの生成処理及び表示処理を説明するための説明図である。
【図２６】第３実施形態のタブレット端末によるテンプレート画像データの表示処理の流れを示すフローチャートである。
【図２７】第３実施形態の変形例におけるテンプレート画像データの表示処理の流れを示すフローチャートである。
【図２８】第４実施形態のタブレット端末の電気的構成を示すブロック図である。
【図２９】画像配色入力画面の一例を示した正面図である。
【図３０】（Ａ）から（Ｅ）は、色相環を基にした５つの基本的な配色の組み合わせを説明するための説明図である。
【図３１】第４実施形態のタブレット端末によるテンプレート画像データの表示処理の流れを示すフローチャートである。
【図３２】第５実施形態のタブレット端末の電気的構成を示すブロック図である。
【図３３】嗜好情報入力画面の一例を示した正面図である。
【図３４】第５実施形態の表示制御部により表示面に表示される選択画面の一例を示す正面図である。
【図３５】第５実施形態のタブレット端末によるテンプレート画像データの表示処理の流れを示すフローチャートである。
【図３６】第２の設定モードでの領域指定操作を説明するための説明図である。
【図３７】図３６に示した領域指定操作による着目領域の設定について説明するための説明図である。
【図３８】領域指定操作の別実施例の説明図である。
【図３９】表示面内の一部の領域を複数指定する場合の領域指定操作を説明するための説明図である。
【図４０】図３９に示した領域指定操作に伴う第１の移動処理について説明するための説明図である。
【図４１】本発明を適用可能なスマートフォンの外観斜視図である。
【図４２】図４１に示したスマートフォンの電気的構成を示すブロック図である。
【発明を実施するための形態】
【００３１】
［第１実施形態のタブレット端末］
図１は、第１実施形態のタブレット端末１０の正面図である。このタブレット端末１０は、本発明のプログラムに相当するプログラム２５（図２参照）を格納しており、このプログラム２５を実行することにより、本発明の商品画像表示制御装置として機能する。
【００３２】
図１に示すように、タブレット端末１０は、前述のプログラムを実行することにより、本発明の商品画像に相当するポストカードのテンプレート画像データ１２の選択画面を表示する。このタブレット端末１０の平板状の筐体１５を有している。この筐体１５の一方の面には、タッチパネル式の表示部１６（表示入力部ともいう）が設けられている。また、筐体１５には、操作部１７の他に、図示は省略するがスピーカ部及びマイクロホン部及びカメラ部などが設けられている。
【００３３】
図２は、タブレット端末１０の電気的構成を示すブロック図である。図２に示すように、タブレット端末１０は、前述の表示部１６及び操作部１７の他に、制御部２０と、メモリ２１と、インタフェース２２と、データ格納部２３と、を備えている。なお、図２では、説明の煩雑化を防止するために、テンプレート画像データ１２の選択画面の表示に関係のない構成は図示を省略している。
【００３４】
制御部２０は、例えばＣＰＵ（Central Processing Unit）を含む各種の演算部及び処理部及び記憶部により構成されたものであり、表示部１６及び操作部１７からの制御信号に基づき、メモリ２１から読み出した各種のプログラムを実行することで、タブレット端末１０の全体の動作や処理を統括制御する。
【００３５】
メモリ２１は、制御部２０が処理を実行するための各種のプログラムが格納されている記録媒体である。このメモリ２１には、テンプレート画像データ１２の選択画面の表示処理を制御部２０に実行させるためのアプリケーションソフトウェアであるプログラム２５と、詳しくは後述する変換テーブル２６と、が格納されている。
【００３６】
表示部１６は、制御部２０の制御により、静止画像および動画像を含む画像や文字情報などを表示して視覚的にユーザに情報を伝達するとともに、表示した情報に対するユーザ操作を検出する、いわゆるタッチパネルである。この表示部１６は、表示パネル２８と、この表示パネル２８を覆うように配置された操作パネル２９とを備える。
【００３７】
表示パネル２８は、ＬＣＤ(Liquid Crystal Display)、ＯＥＬＤ(Organic Electro-Luminescence Display)などを表示デバイスとして用いたものである。操作パネル２９は、表示部１６の表示面上に表示される画像を視認可能に載置され、ユーザの指や尖筆によって操作される一又は複数の座標を検出するデバイスである。この操作パネル２９をユーザの指や尖筆によって操作すると、操作に起因して発生する検出信号が操作パネル２９から制御部２０へ出力される。制御部２０は、操作パネル２９から入力される検出信号に基づき、操作パネル２９に対するユーザの操作を検出し、この操作に応じた処理を実行する。
【００３８】
操作部１７は、キースイッチなどを用いたハードウェアキーであって、ユーザからの指示を受け付けるものである。例えば、操作部１７は、指などで押下されるとオンとなり、指を離すとバネなどの復元力によってオフ状態となる押しボタン式のスイッチである。制御部２０は、操作部１７に対する操作を検出し、この操作に応じた処理を実行する。
【００３９】
インタフェース２２は、タブレット端末１０において、テンプレート画像データ１２と、テンプレート画像データ１２内の写真合成用の合成領域１２ａに合成される写真画像データ３１と、を取得する画像取得部として機能する。具体的に、インタフェース２２は、図示しないプリントサービス用のサーバから、ポストカードのテンプレート画像データ１２を複数取得する。また、インタフェース２２は、ユーザが所有する他の端末や電子機器（パーソナルコンピュータ、スマートフォン、携帯電話機、及びデジタルカメラなど）から、写真画像データ３１を取得する。従って、インタフェース２２としては、プリントサービス用のサーバ、端末や電子機器などに通信接続可能な通信インタフェース等が用いられる。
【００４０】
なお、メモリカード（図示せず）等に記憶されているテンプレート画像データ１２や写真画像データ３１を取得する場合、インタフェース２２としては、メモリカードが装填されるカードインタフェースが用いられる。また、写真画像データ３１は、タブレット端末１０のカメラ部（図示せず）からも取得可能であり、この場合のインタフェース２２としては、カメラ部に接続する接続インタフェースである。
【００４１】
データ格納部２３は、インタフェース２２により取得されたテンプレート画像データ１２及び写真画像データ３１を格納する。また、データ格納部２３には、詳しくは後述するが、制御部２０（画像解析部３６）により解析されたテンプレート画像データ１２の特徴量の解析結果である画像解析データ３３が格納される。
【００４２】
制御部２０は、本発明のコンピュータとして機能するものである。この制御部２０は、タブレット端末１０においてテンプレート画像データ１２の選択画面起動操作がなされた際に、メモリ２１から読み出したプログラム２５を実行することにより、画像解析部３６と、表示制御部３７と、着目領域設定部３８と、として機能する。
【００４３】
［画像解析］
画像解析部３６は、データ格納部２３に格納されている各テンプレート画像データ１２を解析して、各テンプレート画像データ１２の特徴を表す本発明の特徴量として感性語を取得することにより、画像解析データ３３を作成する。感性語は、詳しくは後述するが、ユーザがテンプレート画像データ１２に期待する印象を表す。
【００４４】
図３は、画像解析部３６による画像解析データ３３の作成手順を説明するための説明図である。図３に示すように、画像解析部３６は、データ格納部２３に格納されている各テンプレート画像データ１２から、個々のテンプレート画像データ１２を代表する色を含む領域を１又は複数切り出し、切り出した領域の画像を平滑化フィルタにより平滑化処理し、平滑化処理した領域の画像の代表色を示す色特徴量を取得する。
【００４５】
ここで代表色とは、離れた位置からも十分に視認できる一定の面積以上を有する色をいい、例えば、大きな面積の「ベースカラー」、次に大きな面積を占める「アソートカラー」に限らず、小面積の「アクセントカラー」も代表色としてもよい。そして、本例では、色特徴量として、ＨＳＶ色空間における３属性［Ｈ（Hue：色相）、Ｓ（Saturation：彩度）、Ｖ（Value Lightness：明度）］の各値（以下、「ＨＳＶ値」という）を取得する。
【００４６】
次いで、画像解析部３６は、取得した代表色の色特徴量（ＨＳＶ値）毎に、１３０色の色数を有する基本カラーパレット４０から該当する色情報を選択する。ここで、１３０色は、１２０色の有彩色と１０色の無彩色とを有し、１２０色の有彩色は、１０種類の色相と１２種類のトーンとの組み合わせからなり、１０色の無彩色は、白から黒までの１０種類のトーンからなる。尚、基本カラーパレット４０の色数及び分類方法は、この実施形態に限定されない。
【００４７】
このように、１つの色特徴量（ＨＳＶ値）が取得されると、取得した色特徴量に対応する基本カラーパレット４０における１３０色のうちの１つの色（色情報）を特定することができる。なお、テンプレート画像データ１２の代表色が２色の場合、基本カラーパレット４０上の２つの色（２色配色）を特定することができる。同様に、テンプレート画像データ１２の代表色が３色の場合には、基本カラーパレット４０上の３つの色（３色配色）を特定することができ、テンプレート画像データ１２の代表色がＮ色（Ｎ：４以上の整数）の場合には、基本カラーパレット４０上のＮ個の色（Ｎ色配色）を特定することができる。
【００４８】
画像解析部３６は、テンプレート画像データ１２の色情報（配色）を特定した後、特定した配色に対応する感性語の特定を行う。
【００４９】
図４は感性空間に配置される感性語を示す言語イメージスケールの説明図であり、図５は感性空間に配置される単色（基本カラーパレットの１３０色）の単色イメージスケールの説明図である。また、図６は感性空間に配置される３色配色のイメージスケールの説明図である。なお、図４から図６に示すイメージスケールは、株式会社日本カラーデザイン研究所から開示されたイメージスケールを示す（小林重順著「カラーシステム」（講談社）、及びhttp://www.ncd-ri.co.jp/about/image_system.htmlを参照）。
【００５０】
図４から図６に示す感性空間は、ＷＡＲＭ（暖かい）／ＣＯＯＬ（冷たい）の程度を示す横軸、及びＨＡＲＤ（かたい）／ＳＯＦＴ（やわらかい）の程度を示す縦軸の２つの座標軸により規定された空間である。
【００５１】
図４に示す言語イメージスケールは、上記感性空間内に６４個の感性語が配置されている。また、図５に示す単色イメージスケールは、上記感性空間内に１３０色の単色が配置されている。図５に示した各記号は、Ｖ（ビビット）、Ｓ（ストロング）、Ｂ（ブライト）、Ｐ（ペール）、Ｖｐ（ベリー・ペール）、Ｌｇｒ（ライト・グレイッシュ）、Ｌ（ライト）、Ｇｒ（グレイッシュ）、Ｄｌ（ダル）、Ｄｐ（ディープ）、Ｄｋ（ダーク）、Ｄｇｒ（ダーク・グレイッシュ）の１２種類のトーンの位置を示している。また、数字で示した１３０色のうちの代表的なものとして、１〜１０は、それぞれ代表的な色相の位置を示し、１は赤、２は橙、３は黄、４は黄緑、５は緑、６は青緑、７は青、８は青紫、９は紫、１０は赤紫である。また、１２１は白、１３０は黒である。
【００５２】
また、図６に示す３色配色のイメージスケールは、６４個の感性語にそれぞれ対応する１つの３色配色を示しているが、１つの感性語に対応する３色配色は、複数存在する。
【００５３】
図４から図６に示すように、感性語と配色（単色、３色配色）との間には相関があることが分かる。尚、図６に示した３色配色に限らず、２色配色、Ｎ色配色の場合も感性語との間には相関がある。
【００５４】
従って、配色（単色、配色（２色、３色、Ｎ色））と感性語との関係を示す変換テーブル又は変換式を予め準備し、単色、配色の色情報を取得すれば、色情報を変換テーブル等により感性語に変換することができる。本実施形態では、配色と感性語との関係を示す変換テーブル２６がメモリ２１に予め格納されている（図２参照）。
【００５５】
画像解析部３６は、前述の各テンプレート画像データ１２の色情報（配色）の特定結果に基づき、変換テーブル２６を参照して、テンプレート画像データ１２毎の感性語を特定する。そして、画像解析部３６は、感性語の特定結果に基づき、画像解析データ３３を作成する。
【００５６】
画像解析データ３３には、テンプレート画像データ１２ごとの「ファイル名」と「色情報」と「感性語」とが登録されている。なお、色情報の（＃＋数字）は、１３０色の基本カラーパレット４０の色の番号（＃１〜＃１３０）を示している。ここで、図３に示した感性語と配色の色情報との関係は便宜上のものであり、実際の感性語を想起させる配色の色情報であるとは限らない。
【００５７】
なお、画像解析部３６による解析は、画像解析データ３３に少なくとも「感性語」が登録されているテンプレート画像データ１２（すなわち、１度解析済みのテンプレート画像データ１２）に対しては省略することができる。また、例えばインターネット上から画像解析済みのテンプレート画像データ１２を取得した際にも、画像解析部３６による画像解析を省略することができる。
【００５８】
［テンプレート画像データの選択画面］
図２に戻って、表示制御部３７は、表示部１６（表示パネル２８）における各種画像や文字情報の表示を制御する。表示制御部３７は、画像解析部３６による画像解析の終了後、データ格納部２３から読み出したテンプレート画像データ１２と画像解析データ３３とに基づき、テンプレート画像データ１２の選択画面４２を、表示部１６に表示させる。
【００５９】
図７は、選択画面４２の正面図である。図７に示すように、選択画面４２は、既述の図４から図６に示した感性空間（ＷＡＲＭ／ＣＯＯＬの程度を示す横軸、及びＨＡＲＤ／ＳＯＦＴの程度を示す縦軸の２つの座標軸により規定された空間）上に、各テンプレート画像データ１２を各々の特徴量である感性語に応じて配置させた本発明の配置画像である。この選択画面４２により、各々のテンプレート画像データ１２の持つイメージを判別することができ、さらに似たようなイメージを持つテンプレート画像データ１２のグループを判別することができる。
【００６０】
図８は、選択画面４２を表示している表示部１６の正面図である。なお、図８以降では図面の煩雑化を防止するため、テンプレート画像データ１２を簡略化して図示している。図８に示すように、表示制御部３７は、選択画面４２を表示部１６の表示面の中央部に表示させる。この際に、表示制御部３７は、表示面の端部（外周）と選択画面４２の外周との間に、テンプレート画像データ１２を配置可能な空白領域ＥＡが形成されるように、表示面上での選択画面４２の大きさを調整している。これにより、詳しくは後述するが、選択画面４２内のテンプレート画像データ１２を表示面の端部に移動させることができる。
【００６１】
図９（Ａ），（Ｂ）は、表示部１６の表示面内においてテンプレート画像データ１２同士が重なる場合の表示制御部３７の表示制御について説明するための説明図である。
【００６２】
表示制御部３７は、選択画面４２の感性空間上での各テンプレート画像データ１２の位置座標、各テンプレート画像データ１２の表示サイズ、及び感性空間の画素サイズなどに基づき、一のテンプレート画像データ１２が別のテンプレート画像データ１２で覆われるか否かを判定する。ここでいう「覆われる」とは、一のテンプレート画像データ１２の全体のうちの予め定めた許容割合（例えば７０％）以上が別のテンプレート画像データ１２で覆われることである。
【００６３】
図９（Ａ）の点線円Ｃ内に示すように、表示制御部３７は、一のテンプレート画像データ１２が別のテンプレート画像データ１２で覆われると判定した場合、一のテンプレート画像データ１２の位置と別のテンプレート画像データ１２の位置との少なくとも一方を他方から遠ざかる方向にずらす。この際のずらし量は、少なくとも一のテンプレート画像データ１２が前述の許容割合以上は露呈する大きさであり、ずらし方向は、別のテンプレート画像データ１２の位置を考慮して決定される。これにより、図９（Ｂ）に示すように、一のテンプレート画像データ１２のデザインが判別可能となる。
【００６４】
また、表示制御部３７は、後述の着目領域設定部３８により着目領域４４（図１０参照）が設定された場合、詳しくは後述するが、表示部１６の表示面内で着目領域４４の外側にあるテンプレート画像データ１２の移動処理を行う（図１２参照）。
【００６５】
［着目領域の設定］
図２に戻って、着目領域設定部３８は、表示部１６による選択画面４２の表示後、操作パネル２９から表示部１６の表示面の一部の領域を指定する領域指定操作の入力を受け付けて、表示面内に着目領域４４（図１０参照）を設定する。
【００６６】
図１０は、領域指定操作について説明するための説明図である。図１０に示すように、領域指定操作は、表示部１６の表示面上（操作パネル２９上）にユーザが指ＰＦでタッチし、表示面に対するタッチ位置を変化させながら表示面の一部の領域（例えば、円形状または多角形状の閉じた領域）を指定する軌跡を描くタッチ操作である。着目領域設定部３８は、操作パネル２９からのタッチ操作の入力結果に基づき、タッチ操作で描かれた軌跡の内側の領域を着目領域４４として表示部１６の表示面内に設定する。なお、図１０において太線で表示されているテンプレート画像データ１２は、少なくとも一部が着目領域４４内に含まれているものである。そして、着目領域設定部３８は、前述の軌跡の各点の座標を、着目領域４４の位置と形状と大きさとを示す着目領域設定情報として表示制御部３７に出力する。
【００６７】
［第１の移動処理］
図１１は、表示制御部３７が、着目領域４４の内側にあるテンプレート画像データ１２と着目領域４４の外側にあるテンプレート画像データ１２とを識別する識別処理を説明するための説明図である。
【００６８】
図１１に示すように、表示制御部３７は、着目領域設定部３８による着目領域４４の設定が行われた場合、すなわち、着目領域設定部３８から着目領域設定情報が入力された場合、最初に識別処理を行う。
【００６９】
表示制御部３７は、着目領域設定情報に基づいて、表示部１６の表示面内での着目領域４４の位置と形状と大きさとを判別し、この判別結果に基づき、選択画面４２内の各テンプレート画像データ１２が着目領域４４の内側にあるか或いは外側にあるかを判定する。この際に、表示制御部３７は、少なくとも一部が着目領域４４内に含まれているテンプレート画像データ１２については、着目領域４４の内側にあるテンプレート画像データ１２と判定する。ここで、図中の符号４４Ａ（点線枠で表示）は、着目領域４４の内側にあると判定される全てのテンプレート画像データ１２を包含した着目領域であり、実質的に着目領域４４を表すものである。すなわち、着目領域４４Ａの内側にあるテンプレート画像データ１２は、着目領域４４の内側にあるテンプレート画像データ１２を意味する。このため、図１２以降では着目領域４４の代わりに適宜「着目領域４４Ａ」を図示している。
【００７０】
表示制御部３７は、上記判定の結果に基づき、表示部１６の表示面内において着目領域４４（着目領域４４Ａ）の内側にあるテンプレート画像データ１２（図中、太線で表示）を識別することができる。また同時に、表示制御部３７は、着目領域４４の外側にあるテンプレート画像データ１２（図中、細線で表示）を識別することができる。
【００７１】
なお、本例では、少なくとも一部が着目領域４４内に含まれているテンプレート画像データ１２を着目領域４４の内側にあると判定しているが、全部が着目領域４４内に含まれているテンプレート画像データ１２を着目領域４４の内側にあると判定してもよい。
【００７２】
図１２は、表示制御部３７による第１の移動処理を説明するための説明図である。図１２に示すように、表示制御部３７は、前述の識別処理の後、着目領域４４（着目領域４４Ａ）の外側にあるテンプレート画像データ１２を表示部１６の表示面の端部、すなわち、前述の空白領域ＥＡに移動させる第１の移動処理を行う。一方、着目領域４４の内側にあると判定されたテンプレート画像データ１２は、第１の移動処理の対象外である。これにより、着目領域４４の外側にあるテンプレート画像データ１２を表示面内に残した状態のまま、表示面内において着目領域４４の内側にあるテンプレート画像データ１２と、着目領域４４の外側にあるテンプレート画像データ１２とを容易に識別することができる。
【００７３】
この際に、着目領域４４の外側にあるテンプレート画像データ１２を、空白領域ＥＡのどの位置に移動させるかについては特に限定はされないが、着目領域４４（着目領域４４Ａ）と一定距離以上離れた位置に移動させることが好ましい。
【００７４】
この「一定距離」は、着目領域４４の内側にあるテンプレート画像データ１２と、空白領域ＥＡに移動されたテンプレート画像データ１２とを区別可能な距離であり、表示部１６（表示パネル２８）の画面サイズなどに応じて決定される距離である。これにより、仮に着目領域４４が空白領域ＥＡの近傍に設定された場合でも、着目領域４４の外側にあるテンプレート画像データ１２を、着目領域４４から一定距離以上離れた空白領域ＥＡ内に移動させることができる。その結果、着目領域４４の位置に関係なく、表示面内において着目領域４４の内側にあるテンプレート画像データ１２と、着目領域４４の外側にあるテンプレート画像データ１２とを容易に区別することができる。
【００７５】
さらに、着目領域４４の外側にあるテンプレート画像データ１２の数が多い場合には、空白領域ＥＡのスペースを拡大する、或いは着目領域４４の外側にあるテンプレート画像データ１２の表示サイズを縮小するなどして、着目領域４４の外側にあるテンプレート画像データ１２の全てを空白領域ＥＡ内に移動できるように、表示制御部３７による表示制御を行ってもよい。
【００７６】
図１３は、図１２に示した第１の移動処理後の新たな領域指定操作による着目領域４４の設定について説明するための説明図である。図１４は、図１３に示した新たな着目領域４４の設定が行われた場合の第１の移動処理について説明するための説明図である。
【００７７】
図１３に示すように、第１の移動処理後に表示部１６の表示面上で新たな領域指定操作であるタッチ操作がなされると、着目領域設定部３８は、表示面内にタッチ操作で描かれた軌跡の内側の領域を新たな着目領域４４として設定し、着目領域設定情報を表示制御部３７に出力する。次いで、図１４に示すように、表示制御部３７は、着目領域設定部３８から新たに入力された着目領域設定情報を受けて前述の識別処理と第１の移動処理とを繰り返し実行する。
【００７８】
以下同様に、新たな領域指定操作（タッチ操作）がなされる毎に、着目領域設定部３８による着目領域４４の設定と、表示制御部３７による識別処理及び第１の移動処理とが繰り返し実行される。
【００７９】
［第２の移動処理］
図１５は、表示制御部３７による第２の移動処理を説明するための説明図である。図１５に示すように、表示制御部３７は、例えば既述の図１２に示した第１の移動処理後、操作パネル２９を介して空白領域ＥＡ内のテンプレート画像データ１２を指定する商品画像指定操作を受け付けて、第２の移動処理を実行する。
【００８０】
商品画像指定操作は、空白領域ＥＡ内のテンプレート画像データ１２を、指ＰＦでタッチするタッチ操作である。操作パネル２９を介してタッチ操作を受け付けた表示制御部３７は、タッチ操作で指定されたテンプレート画像データ１２を着目領域４４（着目領域４４Ａ）まで移動させる第２の移動処理を行う。これにより、着目領域４４外の空白領域ＥＡまで移動されたテンプレート画像データ１２を、着目領域４４まで戻すことができる。第２の移動処理後のテンプレート画像データ１２の位置は、特に限定はされず、例えば第１の移動処理前の位置、あるいは最短移動距離で移動可能な位置である。
【００８１】
なお、上述の商品画像指定操作は、タッチ操作に限定されるものではなく、空白領域ＥＡに移動されたテンプレート画像データ１２を指ＰＦでタッチした状態のまま着目領域４４まで移動させるフリック操作、あるいはスワイプ操作であってもよい。
【００８２】
制御部２０は、操作パネル２９を介して着目領域４４（着目領域４４Ａ）内のテンプレート画像データ１２を選択する画像選択操作の入力を受け付けた場合、ユーザの使用するテンプレート画像データ１２を選択する。次いで、表示制御部３７は、データ格納部２３に格納されている写真画像データ３１の選択画面（図示せず）を表示部１６に表示する。そして、制御部２０は、操作パネル２９を介して写真画像データ３１を選択する画像選択操作の入力を受け付けた場合、この写真画像データ３１を前述のテンプレート画像データ１２の合成領域１２ａに合成して合成画像データを表示部１６に表示させる。
【００８３】
［第１実施形態のタブレット端末の作用］
次に、図１６を用いて上記構成の第１実施形態のタブレット端末１０の作用について説明を行う。図１６は、タブレット端末１０による選択画面４２の表示処理（本発明の商品画像表示制御方法）の流れを示すフローチャートである。なお、テンプレート画像データ１２及び写真画像データ３１はデータ格納部２３に予め格納されているものとする。
【００８４】
タブレット端末１０にてテンプレート画像データ１２の選択画面起動操作がなされると、制御部２０はメモリ２１から読み出したプログラム２５を実行することで画像解析部３６と、表示制御部３７と、着目領域設定部３８として機能する（ステップＳ１）。
【００８５】
次いで、画像解析部３６により、既述の図３に示したようにデータ格納部２３内の各テンプレート画像データ１２の解析が行われ、テンプレート画像データ１２ごとの「ファイル名」と「色情報」と「感性語」とが登録された画像解析データ３３が作成される（ステップＳ２）。この画像解析データ３３は、画像解析部３６によりデータ格納部２３に格納される。なお、既に解析済みのテンプレート画像データ１２に対する画像解析部３６による解析は省略することができる。
【００８６】
画像解析部３６による画像解析後、表示制御部３７は、既述の図８に示したように、データ格納部２３から読み出したテンプレート画像データ１２と画像解析データ３３とに基づき、テンプレート画像データ１２の選択画面４２を、表示部１６に表示させる（ステップＳ３、本発明の表示制御ステップ）。この際に表示制御部３７は、表示部１６の表示面に前述の空白領域ＥＡが形成されるように、表示面上での選択画面４２の大きさを調整する。これにより、第１の移動処理を確実に実行することができる。
【００８７】
また、表示制御部３７は、選択画面４２の表示の際に、既述の図９（Ａ），（Ｂ）に示したように、一のテンプレート画像データ１２が別のテンプレート画像データ１２で覆われる場合、両者の位置の少なくとも一方を他方から遠ざかる方向にずらす。これにより、別のテンプレート画像データ１２で覆われていた一のテンプレート画像データ１２のデザインが判別可能となる。
【００８８】
選択画面４２の表示により、ユーザは、各々のテンプレート画像データ１２の持つイメージを判別でき、さらに似たようなイメージを持つテンプレート画像データ１２のグループを判別できるので、既述の図１０に示したように、表示面上で所望の領域を指定する軌跡を描く領域指定操作としてタッチ操作を行う。これにより、操作パネル２９を介してタッチ操作を受け付けた着目領域設定部３８は、タッチ操作で描かれた軌跡の内側の領域を着目領域４４として表示部１６の表示面内に設定し、表示制御部３７へ着目領域設定情報を出力する（ステップＳ４でＹＥＳ、本発明の着目領域設定ステップ）。
【００８９】
着目領域設定部３８による着目領域４４の設定後、表示制御部３７は、着目領域設定情報に基づいて、既述の図１１に示したように、表示部１６の表示面内において少なくとも一部が着目領域４４の内側にあるテンプレート画像データ１２と、着目領域４４の外側にあるテンプレート画像データ１２とを識別する識別処理を行う。
【００９０】
次いで、表示制御部３７は、既述の図１２に示したように、着目領域４４（着目領域４４Ａ）の外側にあるテンプレート画像データ１２に対して第１の移動処理を行う（ステップＳ５、本発明の表示制御ステップに相当）。これにより、着目領域４４の外側にあるテンプレート画像データ１２を表示部１６の表示面内に残した状態のまま、表示面内において着目領域４４の内側にあるテンプレート画像データ１２をユーザが容易に識別することができる。
【００９１】
ユーザは、第１の移動処理により空白領域ＥＡに移動させたテンプレート画像データ１２の中で着目領域４４へ戻したいテンプレート画像データ１２がある場合、既述の図１５に示したように、このテンプレート画像データ１２を指ＰＦでタッチするタッチ操作、すなわち商品画像指定操作を行う（ステップＳ６でＹＥＳ）。これにより、操作パネル２９を介してタッチ操作を受け付けた表示制御部３７は、タッチ操作で指定されたテンプレート画像データ１２を着目領域４４（着目領域４４Ａ）まで移動させる第２の移動処理を行う（ステップＳ７）。この第２の移動処理により、着目領域４４外の空白領域ＥＡに移動させたテンプレート画像データ１２を、着目領域４４まで戻すことができる。
【００９２】
ユーザは、第２の移動処理後、あるいは前述の第１の移動処理後に第２の移動処理を行わない場合（ステップＳ６でＮＯ）、タッチ操作（領域指定操作）により表示部１６の表示面内に新たな着目領域４４の設定を行うか否かを判断する。そして、ユーザが表示面上で新たなタッチ操作（領域指定操作）を行うと（ステップＳ８でＹＥＳ）、既述の図１３及び図１４に示したように、ステップＳ５の処理が実行された後、ステップＳ６，Ｓ７の処理が必要に応じて実行される。以下、ユーザが表示面上で新たなタッチ操作（領域指定操作）を行う毎に、これらの処理が繰り返し実行される。
【００９３】
ユーザが着目領域４４（着目領域４４Ａ）内のテンプレート画像データ１２を選択するタッチ操作（画像選択操作）を行うと、制御部２０は、このタッチ操作で選択されたテンプレート画像データ１２を、ユーザの使用するテンプレート画像データ１２として選択する（ステップＳ８でＮＯ、ステップＳ９）。
【００９４】
テンプレート画像データ１２の選択後、表示制御部３７は、データ格納部２３に格納されている写真画像データ３１の選択画面（図示せず）を表示部１６に表示する。そして、ユーザが写真画像データ３１を選択するタッチ操作（画像選択操作）の入力を行うと、表示制御部３７は、選択された写真画像データ３１を先に選択されたテンプレート画像データ１２の合成領域１２ａに合成して合成画像データを表示部１６に表示させる。
【００９５】
［第１実施形態の効果］
以上のように、第１実施形態のタブレット端末１０では、着目領域４４（着目領域４４Ａ）の外側にあるテンプレート画像データ１２を表示部１６の表示面の端部（空白領域ＥＡ）に移動させる第１の移動処理を行うので、着目領域４４の外側にあるテンプレート画像データ１２を表示面内に残した状態のまま、表示面内において着目領域４４の内側にあるテンプレート画像データ１２をユーザが容易に識別することができる。これにより、テンプレート画像データ１２が多数存在している場合でも、第１の移動処理を行うことで、選択対象となるテンプレート画像データ１２の数を減らすことができる。また、着目領域４４の外側にあるテンプレート画像データ１２を表示面内に残しておくので、ユーザは、着目領域４４の外側にあるテンプレート画像データ１２をいつでも確認することができる。その結果、ユーザの選択肢を減らすことなく、ユーザが効率良くテンプレート画像データ１２を選択することができる。
【００９６】
また、第１実施形態のタブレット端末１０では、第２の移動処理を行うことにより、第１の移動処理により空白領域ＥＡに移動させたテンプレート画像データ１２を再び着目領域４４まで戻すことができるため、ユーザの選択肢を減らすことが防止される。
【００９７】
［第２実施形態のタブレット端末］
次に、第２実施形態のタブレット端末について説明を行う。上記第１実施形態のタブレット端末１０では、表示部１６の表示面内において着目領域４４が設定された場合に、着目領域４４の外側にあるテンプレート画像データ１２を空白領域ＥＡに移動させている。これに対して、第２実施形態のタブレット端末では、着目領域４４の内側にあるテンプレート画像データ１２の数が多い場合に、表示部１６の表示を拡大画像データの表示に切り替える。
【００９８】
なお、第２実施形態のタブレット端末は、上記第１実施形態のタブレット端末１０と基本的に同じ構成であるので、上記第１実施形態と機能・構成上同一のものについては、同一符号を付してその説明は省略する。
【００９９】
第２実施形態の表示制御部３７は、着目領域設定部３８による着目領域４４の設定が行われた場合、上記第１実施形態で説明した識別処理を行った後、表示部１６の表示面内において着目領域４４の内側にあるテンプレート画像データ１２の数をカウントする。そして、表示制御部３７は、着目領域４４の内側にあるテンプレート画像データ１２の数が予め定めた第１の閾値以下であるか否かを判定する。
【０１００】
第１の閾値は、着目領域４４（着目領域４４Ａ）内のテンプレート画像データ１２をユーザが効率よく選択可能な上限値であり、表示部１６（表示パネル２８）の画面サイズやテンプレート画像データ１２の表示サイズ等に応じて技術者が経験的、感覚的に定めた値である。着目領域４４内のテンプレート画像データ１２の数が非常に多くなると、既述の通り、ユーザが好みのデザインのテンプレート画像データ１２を選択する際の負荷が大きくなる、すなわち、選択に時間がかかってしまう。このような場合には、前述の第１の移動処理を行う前に、着目領域４４内の拡大画像データの表示を行った方が、ユーザは効率良くテンプレート画像データ１２を選択することができる。
【０１０１】
そこで、第２実施形態では、着目領域４４の設定後に、表示制御部３７により着目領域４４の内側にあるテンプレート画像データ１２の数が第１の閾値以下であるか否かを判定する。
【０１０２】
表示制御部３７は、着目領域４４の内側にあるテンプレート画像データ１２の数が第１の閾値以下であると判定した場合、第１実施形態で説明した第１の移動処理を行う。一方、表示制御部３７は、着目領域４４の内側にあるテンプレート画像データ１２の数が第１の閾値よりも多くなると判定した場合、表示部１６の表示を拡大画像データ５０（図１７参照）の表示に切り替える拡大画像表示切替処理を行う。
【０１０３】
［拡大画像表示切替処理］
図１７は、表示制御部３７による拡大画像表示切替処理を説明するための説明図である。図１７に示すように、表示制御部３７は、例えば既述の図１１に示した着目領域４４（着目領域４４Ａ）の内側にあるテンプレート画像データ１２の数が第１の閾値よりも多くなる場合、着目領域４４の内側にあるテンプレート画像データ１２を拡大した拡大画像データ５０を生成する。そして、表示制御部３７は、表示部１６の表示を拡大画像データ５０に切り替える拡大画像表示切替処理を行う。
【０１０４】
この際に、表示制御部３７は、表示部１６の表示面の端部（外周）と拡大画像データ５０の外周との間に、テンプレート画像データ１２を配置可能な前述の空白領域ＥＡが形成されるように、表示面上での拡大画像データ５０の大きさを調整する。これにより、拡大画像表示切替処理後に第１の移動処理が可能となる。
【０１０５】
図１８は、図１７に示した拡大画像表示切替処理後の新たな領域指定操作による着目領域４４の設定について説明するための説明図である。図１９は、図１８に示した新たな着目領域４４の設定後の拡大画像表示切替処理について説明するための説明図である。
【０１０６】
図１８に示すように、拡大画像表示切替処理後に、表示部１６の表示面上で新たな領域指定操作であるタッチ操作がなされると、着目領域設定部３８は、タッチ操作で描かれた軌跡の内側の領域を新たな着目領域４４として表示面内に設定し、着目領域設定情報を表示制御部３７に出力する。次いで、表示制御部３７は、着目領域設定部３８から新たに入力された着目領域設定情報を受けて前述の識別処理を行った後、新たな着目領域４４（着目領域４４Ａ）の内側にあるテンプレート画像データ１２の数が第１の閾値以下であるか否かを判定する。
【０１０７】
図１９に示すように、表示制御部３７は、新たな着目領域４４（着目領域４４Ａ）の内側にあるテンプレート画像データ１２の数が第１の閾値よりも多くなる場合、この着目領域４４の内側にあるテンプレート画像データ１２を拡大した新たな拡大画像データ５０を生成する。そして、表示制御部３７は、表示部１６の表示を新たな拡大画像データ５０に切り替える拡大画像表示切替処理を行う。
【０１０８】
以下同様に、表示制御部３７は、着目領域４４（着目領域４４Ａ）の内側にあるテンプレート画像データ１２の数が第１の閾値以下となるまで、着目領域４４の設定が行われる度に、拡大画像表示切替処理を繰り返し実行する。
【０１０９】
図２０は、図１９に示した拡大画像表示切替処理後の新たな領域指定操作による着目領域４４の設定について説明するための説明図である。図２１は、図２０に示した新たな着目領域４４の設定に伴う第１の移動処理について説明するための説明図である。
【０１１０】
図２０に示すように、既述の図１９に示した拡大画像表示切替処理後に、表示部１６の表示面上で新たな領域指定操作であるタッチ操作がなされた場合、着目領域設定部３８により、新たな着目領域４４の設定と表示制御部３７への着目領域設定情報の出力とが実行される。次いで、表示制御部３７による前述の識別処理と、着目領域４４（着目領域４４Ａ）の内側にあるテンプレート画像データ１２の数が第１の閾値以下であるか否かの判定とが実行される。
【０１１１】
図２１に示すように、表示制御部３７は、新たな着目領域４４（着目領域４４Ａ）の内側にあるテンプレート画像データ１２の数が第１の閾値以下となった場合、着目領域４４（着目領域４４Ａ）の外側にあるテンプレート画像データ１２に対して第１の移動処理を行う。
【０１１２】
これ以降の処理は、上記第１実施形態と基本的に同じである。ただし、第２実施形態では、拡大画像データ５０内のテンプレート画像データ１２についても、ユーザが使用するテンプレート画像データ１２として選択する画像選択操作が可能である。従って、第２実施形態の制御部２０は、拡大画像表示切替処理後、第１の移動処理後、及び第２の移動処理後のいずれかのタイミングで画像選択操作を受け付けた場合、この画像選択操作で選択されたテンプレート画像データ１２を、ユーザの使用するテンプレート画像データ１２として選択する。
【０１１３】
［第２実施形態のタブレット端末の作用］
次に、図２２を用いて上記構成の第２実施形態のタブレット端末の作用について説明を行う。図２２は、第２実施形態のタブレット端末によるテンプレート画像データ１２の表示処理の流れを示すフローチャートである。ただし、ステップＳ４までの処理は、第１実施形態の図１６に示したステップＳ１からステップＳ４までの処理と基本的に同じであるので、具体的な説明は省略する。
【０１１４】
ステップＳ４において着目領域設定部３８による表示面内への着目領域４４の設定及び表示制御部３７への着目領域設定情報の出力が行われると、表示制御部３７は、前述の識別処理を行った後、表示面内において着目領域４４の内側にあるテンプレート画像データ１２の数が第１の閾値以下であるか否かを判定する（ステップＳ１２）。
【０１１５】
表示制御部３７は、着目領域４４の内側にあるテンプレート画像データ１２の数が第１の閾値以下であると判定した場合（ステップＳ１２でＹＥＳ）、第１実施形態で説明した図１６のステップＳ５からステップＳ７までのフローに従った処理を行う。
【０１１６】
一方、表示制御部３７は、着目領域４４の内側にあるテンプレート画像データ１２の数が第１の閾値よりも多くなると判定した場合（ステップＳ１２でＮＯ）、着目領域４４の内側にあるテンプレート画像データ１２の拡大画像データ５０を生成する（ステップＳ１３）。次いで、表示制御部３７は、既述の図１７に示したように、表示部１６の表示を拡大画像データ５０に切り替える拡大画像表示切替処理を行う（ステップＳ１４）。
【０１１７】
拡大画像表示切替処理後、既述の図１８に示したように、ユーザが表示面上で新たなタッチ操作（領域指定操作）を行うと（ステップＳ８ＡでＹＥＳ）、前述のステップＳ１２の処理が再度実行される。そして、表示制御部３７は、着目領域４４の内側にあるテンプレート画像データ１２の数が第１の閾値以下であるか否かに応じて、既述の図１６に示したステップＳ５からステップＳ７までのフローに従った処理と、ステップＳ１３及びステップＳ１４の処理とを選択的に実行する。以下、着目領域４４の設定が行われる度に、ステップＳ１２とステップＳ８Ａとの間のフローに従った処理が繰り返し実行される。
【０１１８】
次いで、拡大画像表示切替処理後（ステップＳ１４）、第１の移動処理後（ステップＳ５）、及び第２の移動処理後（ステップＳ７、図１６参照）のいずれかのタイミングにおいて、ユーザは、タッチ操作（領域指定操作）により表示部１６の表示面内に新たな着目領域４４の設定を行うか否かを判断する。そして、ユーザは、新たな着目領域４４の設定を行わない場合（ステップＳ８ＡでＮＯ）、拡大画像データ５０内または着目領域４４内のテンプレート画像データ１２を選択するタッチ操作（画像選択操作）を行う（ステップＳ９Ａ）。操作パネル２９を介してタッチ操作の入力を受け付けた制御部２０は、タッチ操作で選択されたテンプレート画像データ１２を、ユーザの使用するテンプレート画像データ１２として選択する。これ以降の処理は、前述の第１実施形態と同じであるので、具体的な説明は省略する。
【０１１９】
［第２実施形態の効果］
以上のように、第２実施形態のタブレット端末では、着目領域４４（着目領域４４Ａ）の内側にあるテンプレート画像データ１２の数が第１の閾値よりも多くなる場合、拡大画像表示切替処理を行うようにしたので、着目領域４４内のテンプレート画像データ１２の数が非常に多くなる場合に、表示部１６に表示されるテンプレート画像データ１２の数を減らすことができるので、ユーザは効率良くテンプレート画像データ１２を選択することができる。
【０１２０】
［第３実施形態のタブレット端末］
次に、図２３を用いて第３実施形態のタブレット端末１０Ａについて説明を行う。図２３は、第３実施形態のタブレット端末１０Ａの電気的構成を示すブロック図である。上記第１実施形態のタブレット端末１０では、表示部１６の表示面内において着目領域４４が設定された場合に、着目領域４４の外側にあるテンプレート画像データ１２に対して第１の移動処理を行っている。これに対して、第３実施形態のタブレット端末では、着目領域４４の内側にあるテンプレート画像データ１２の数が少なくなった場合に、表示部１６の表示をテンプレート画像データ１２のスライド表示に切り替える。
【０１２１】
なお、第３実施形態のタブレット端末１０Ａは、プログラム２５を実行した制御部２０が、既述の画像解析部３６及び表示制御部３７及び着目領域設定部３８の他に、候補画像取得部６１として機能する点を除けば、上記第１実施形態のタブレット端末１０と基本的に同じ構成である。このため、上記第１実施形態と機能・構成上同一のものについては、同一符号を付してその説明は省略する。
【０１２２】
候補画像取得部６１は、データ格納部２３に格納されている写真画像データ３１を、テンプレート画像データ１２の合成領域１２ａに合成する写真画像データ３１の候補としてデータ格納部２３から取得する。従って、第３実施形態のデータ格納部２３は、本発明の候補画像記憶部としても機能する。そして、候補画像取得部６１は、データ格納部２３から取得した写真画像データ３１の候補を、表示制御部３７へ出力する。
【０１２３】
第３実施形態の表示制御部３７は、着目領域設定部３８による着目領域４４の設定が行われた場合に、既述の第２実施形態と同様に識別処理を行った後、表示部１６の表示面内において着目領域４４の内側にあるテンプレート画像データ１２の数をカウントする。そして、表示制御部３７は、着目領域４４の内側にあるテンプレート画像データ１２の数が予め定めた第２の閾値以下であるか否かを判定する。
【０１２４】
着目領域４４（着目領域４４Ａ）内のテンプレート画像データ１２の数が、第１の移動処理によりある程度絞られた場合、表示部１６の表示をスライド表示に切り替えた方がユーザは効率良くテンプレート画像データ１２を選択することができる。このため、第３実施形態では、着目領域４４の設定後に、表示制御部３７が着目領域４４の内側にあるテンプレート画像データ１２の数が第２の閾値以下であるか否かを判定する。
【０１２５】
ここで第２の閾値は、表示部１６の表示面の画面サイズに応じて決定される値であり、ユーザが効率良くテンプレート画像データ１２を選択可能な数を、技術者が経験的、感覚的に定めた値である。なお、画面サイズが大きくなるのに従って表示面に同時表示可能なテンプレート画像データの数も増加するので、第２の閾値も増加する。
【０１２６】
表示制御部３７は、着目領域４４の内側にあるテンプレート画像データ１２の数が第２の閾値よりも多くなると判定した場合、第１実施形態で説明した第１の移動処理を行う。
【０１２７】
[スライド表示切替処理]
図２４は、表示制御部３７によるスライド表示切替処理を説明するための説明図である。図２４に示すように、表示制御部３７は、着目領域４４の内側にあるテンプレート画像データ１２の数が第２の閾値以下になると判定した場合、表示部１６の表示を、着目領域４４の内側にあるテンプレート画像データ１２のスライド表示に切り替えるスライド表示切替処理を行う。この際に、表示部１６の表示面に同時表示するテンプレート画像データ１２の数は、表示面の画面サイズに応じて適宜決定される。そして、表示制御部３７は、操作パネル２９を介してスライドボタン６２Ａのタッチ操作を受け付けた場合、着目領域４４の内側にあるテンプレート画像データ１２を所定の順番でスライド表示する。
【０１２８】
また、表示制御部３７は、スライド表示切替処理を行った場合に、候補画像取得部６１（図２３参照）が取得した写真画像データ３１の候補を表示部１６の表示面に同時表示させる。そして、表示制御部３７は、操作パネル２９を介してスライドボタン６２Ｂのタッチ操作を受け付けた場合、表示面に表示する写真画像データ３１の候補を所定の順番でスライド表示する。
【０１２９】
［合成画像データ生成及び表示］
図２５は、第３実施形態の表示制御部３７による合成画像データ６４の生成処理及び表示処理を説明するための説明図である。図２５に示すように、表示制御部３７は、スライド表示切替処理後、操作パネル２９を介して表示部１６の表示面内の写真画像データ３１の候補をテンプレート画像データ１２内の合成領域１２ａまで移動させる移動操作を受け付けた場合、この候補を合成領域１２ａに合成した合成画像データ６４を生成する。そして、表示制御部３７は、生成した合成画像データ６４を表示部１６に表示、すなわち、合成画像データ６４を合成前のテンプレート画像データ１２に置き換えて表示する。なお、移動操作としては、写真画像データ３１の候補を指ＰＦでタッチした状態のまま合成領域１２ａまで移動させるフリック操作、あるいはスワイプ操作などが例として挙げられる。
【０１３０】
また、表示制御部３７は、操作パネル２９を介して合成画像データ６４の合成領域１２ａに別の写真画像データ３１の候補を移動させる移動操作を受け付けた場合、この候補を合成領域１２ａに合成した新たな合成画像データ６４を生成して表示部１６に表示させる。さらに、表示制御部３７は、操作パネル２９を介して合成画像データ６４の合成領域１２ａを指ＰＦでタッチするタッチ操作を受け付けた場合、この合成領域１２ａに合成されている写真画像データ３１の候補を合成領域１２ａから消去する消去処理を行う。
【０１３１】
［第３実施形態のタブレット端末の作用］
次に、図２６を用いて上記構成の第３実施形態のタブレット端末１０Ａの作用について説明を行う。図２６は、タブレット端末１０Ａによるテンプレート画像データ１２の表示処理の流れを示すフローチャートである。ただし、ステップＳ４までの処理は、制御部２０が候補画像取得部６１として機能する点を除けば、第１実施形態の図１６に示したステップＳ１からステップＳ４までの処理と基本的に同じであるので、具体的な説明は省略する。
【０１３２】
ステップＳ４において、着目領域設定部３８による表示部１６の表示面内への着目領域４４の設定と表示制御部３７への着目領域設定情報の出力とが行われると、表示制御部３７は、前述の識別処理を行った後、表示面内において着目領域４４の内側にあるテンプレート画像データ１２の数が第２の閾値以下であるか否かを判定する（ステップＳ２０）。
【０１３３】
表示制御部３７は、着目領域４４の内側にあるテンプレート画像データ１２の数が第２の閾値よりも多くなると判定した場合（ステップＳ２０でＮＯ）、第１実施形態で説明した図１６のステップＳ５からステップＳ９までのフローに従った処理を行う。
【０１３４】
一方、表示制御部３７が、着目領域４４の内側にあるテンプレート画像データ１２の数が第２の閾値以下になると判定した場合（ステップＳ２０でＹＥＳ）、候補画像取得部６１がデータ格納部２３から前述の写真画像データ３１の候補を取得して表示制御部３７へ出力する（ステップＳ２１）。
【０１３５】
次いで、表示制御部３７は、既述の図２４に示したように、表示部１６の表示を、着目領域４４の内側にあるテンプレート画像データ１２のスライド表示に切り替えるスライド表示切替処理を行う（ステップＳ２２）。また、表示制御部３７は、候補画像取得部６１から入力された写真画像データ３１の候補を表示部１６に同時表示させる。
【０１３６】
ユーザが表示部１６の表示面上でスライドボタン６２Ａのタッチ操作を行うと、操作パネル２９を介してタッチ操作の入力を受け付けた表示制御部３７は、着目領域４４の内側にあるテンプレート画像データ１２を所定の順番で表示部１６にスライド表示させる。これにより、ユーザは、所望のデザインのテンプレート画像データ１２を表示面内に表示させることができる。
【０１３７】
次いで、ユーザが表示部１６の表示面上でスライドボタン６２Ｂのタッチ操作を行うと、操作パネル２９を介してタッチ操作の入力を受け付けた表示制御部３７は、写真画像データ３１の候補を所定の順番で表示部１６にスライド表示させる。これにより、ユーザは、表示面内のテンプレート画像データ１２の合成領域１２ａに合成するのに適した写真画像データ３１の候補を選択することができる。
【０１３８】
そして、既述の図２５に示したように、ユーザが表示部１６の表示面上で写真画像データ３１の候補を指ＰＦでタッチした状態のまま合成領域１２ａまで移動させるフリック操作あるいはスワイプ操作などの移動操作を行うと、表示制御部３７は、操作パネル２９を介して移動操作の入力を受け付ける（ステップＳ２３でＹＥＳ）。次いで、表示制御部３７は、移動操作された写真画像データ３１の候補を合成領域１２ａに合成した合成画像データ６４を生成して表示部１６に表示させる（ステップＳ２４）。
【０１３９】
なお、表示制御部３７は、操作パネル２９を介して合成画像データ６４の合成領域１２ａに別の写真画像データ３１の候補を移動させる移動操作を受け付けると、この候補を合成領域１２ａに合成した新たな合成画像データ６４を生成して表示部１６に表示させる。
【０１４０】
［第３実施形態の効果］
以上のように、第３実施形態のタブレット端末１０Ａでは、着目領域４４（着目領域４４Ａ）の内側にあるテンプレート画像データ１２の数が第２の閾値以下となった場合、すなわち、着目領域４４内のテンプレート画像データ１２の数がある程度絞られた場合、スライド表示切替処理を行うため、テンプレート画像データ１２を感性空間上に配置した表示を行う場合よりもユーザは所望のテンプレート画像データ１２を発見し易くなる。その結果、ユーザは効率良くテンプレート画像データ１２を選択することができる。
【０１４１】
また、スライド表示切替処理を行った際に、テンプレート画像データ１２の合成領域１２ａに合成される写真画像データ３１の候補を表示部１６に同時に表示させるので、ユーザは、テンプレート画像データ１２の合成領域１２ａに合成するのに適した写真画像データ３１の候補を検索することができる。さらに、写真画像データ３１の候補をテンプレート画像データ１２内の合成領域１２ａまで移動させる移動操作に応じて合成画像データ６４の生成及び表示を行うので、実際の合成画像データ６４をユーザが確認することができる。その結果、ユーザは、テンプレート画像データ１２の合成領域１２ａに合成するのに適した写真画像データ３１の候補を選択することができる。
【０１４２】
［第３実施形態の変形例］
上記第２実施形態では、着目領域４４の内側にあるテンプレート画像データ１２の数が第１の閾値よりも多い場合に拡大画像表示切替処理を行い、上記第３実施形態では、着目領域４４の内側にあるテンプレート画像データ１２の数が第２の閾値以下となった場合にスライド表示切替処理を行うが、第２実施形態と第３実施形態とを組み合わせてもよい。
【０１４３】
図２７は、上記第３実施形態の変形例におけるテンプレート画像データ１２の表示処理の流れを示すフローチャートである。なお、上記第３実施形態と同様に、ステップＳ４までの処理は、既述の図１６に示した第１実施形態と同じであるので、具体的な説明は省略する。また、上記各実施形態と機能・構成上同一のものについては、同一符号を付してその説明は省略する。
【０１４４】
図２７に示すように、第３実施形態の変形例の表示制御部３７は、ステップＳ４の処理後、着目領域４４の内側にあるテンプレート画像データ１２の数が第１の閾値よりも多くなる場合（ステップＳ１２でＮＯ）、上記第２実施形態の図２２で説明したＳ１３とステップＳ９Ａとの間のフローに従った処理を実行する。
【０１４５】
また、表示制御部３７は、着目領域４４の内側にあるテンプレート画像データ１２の数が第１の閾値以下で且つ第２の閾値よりも多くなる場合（ステップＳ１２でＹＥＳ、ステップＳ２０でＮＯ）、上記第２実施形態の図２２で説明したＳ５とステップＳ９Ａ（すなわち、上記第１の実施形態の図１６に示したＳ５とステップＳ９）との間のフローに従った処理を実行する。
【０１４６】
また、表示制御部３７は、着目領域４４の内側にあるテンプレート画像データ１２の数が第２の閾値以下となる場合（ステップＳ１２でＹＥＳ、ステップＳ２０でＹＥＳ）、上記第３実施形態の図２６で説明したＳ２１とステップＳ２４との間のフローに従った処理を実行する。
【０１４７】
以上のように第３実施形態の変形例では、上記第１実施形態から上記第３実施形態を組み合わせることで、各実施形態でそれぞれ説明した効果が得られる。
【０１４８】
［第４実施形態のタブレット端末］
次に、図２８を用いて第４実施形態のタブレット端末１０Ｂについて説明を行う。図２８は、第４実施形態のタブレット端末１０Ｂの電気的構成を示すブロック図である。上記第３実施形態のタブレット端末１０Ａでは、スライド表示切替処理を行った場合に、写真画像データ３１の候補を表示部１６に同時表示させている。これに対して、第４実施形態のタブレット端末１０Ｂでは、テンプレート画像データ１２の配色に対応した配色を有する写真画像データ３１の候補を表示部１６に同時表示させる。
【０１４９】
なお、第４実施形態のタブレット端末１０Ｂは、プログラム２５を実行した制御部２０が、既述の画像解析部３６及び表示制御部３７及び着目領域設定部３８の他に、組み合わせ決定部６７及び候補画像取得部６１Ａとして機能する点を除けば、上記第３実施形態のタブレット端末１０と基本的に同じ構成である。このため、上記第３実施形態と機能・構成上同一のものについては、同一符号を付してその説明は省略する。
【０１５０】
組み合わせ決定部６７は、テンプレート画像データ１２の配色と、テンプレート画像データ１２の合成領域１２ａに合成する写真画像データ３１の配色との組み合わせ（以下、単に「画像配色組み合わせ」と略す）を決定する。この組み合わせ決定部６７は、スライド表示切替処理が行われる前（例えばプログラム２５の起動時など）に、表示制御部３７を制御して、画像配色組み合わせを入力する画像配色入力画面６９（図２９参照）を表示部１６の表示面に表示させる。
【０１５１】
図２９は、画像配色入力画面６９の一例を示した正面図である。図２９に示すように、画像配色入力画面６９には、色相環７１と配色入力欄７２とが設けられている。本例の色相環７１は、「赤」、「赤みの橙」、「橙」、「黄みの橙」、「黄」、「黄緑」、「緑」、「青緑」、「青」、「青紫」、「紫」、「赤紫」の各色相を円環にして並べたものである。この色相環７１では、互いに補色関係にある色相同士が色相環７１の中心に対して点対称の位置に配置されている。なお、色相環７１は、図２９に示したものに限定されず、他の公知の色相環に置き換えてもよい。
【０１５２】
公知の色彩理論によれば、色相環７１を基にした配色の組み合わせには、後述の５つの基本的な配色の組み合わせがあることが知られている（図３０参照）。
【０１５３】
図３０（Ａ）から図３０（Ｅ）は、色相環７１を基にした５つの基本的な配色の組み合わせを説明するための説明図である。図３０（Ａ）は、「補色色相配色」を示したものである。この補色色相配色は、色相環７１上で互いに向かい合う２色の組み合わせである。図３０（Ｂ）は、「類似色相配色」を示したものである。この類似色相配色は、色相環７１上で隣り合う３色の組み合わせである。図３０（Ｃ）は、「３色配色」を示したものである。この３色配色は、色相環７１上で等間隔（１２０°）の位置にある３色の組み合わせである。
【０１５４】
図３０（Ｄ）は、「分裂補色配色」を示したものである。分裂補色配色は、３つの色を使う組み合わせであり、より具体的には、１つの色と、その補色に隣り合う２つの色との組み合わせである。図３０（Ｅ）は、「４色配色（二重補色色相配色）」を示したものである。この４色配色は、２組の補色色相配色にあたる４色の組み合わせである。
【０１５５】
図２９に戻って、配色入力欄７２には、既述の図３０（Ａ）から図３０（Ｅ）に示した５つの配色の組み合わせに従った画像配色組み合わせが入力される。例えばユーザは、色相環７１上のいずれかの配色（色相）を指ＰＦでタッチした状態のまま配色入力欄７２の「テンプレート画像欄」及び「写真画像欄」までそれぞれ移動させるフリック操作あるいはスワイプ操作を行うことで、画像配色組み合わせを入力する。
【０１５６】
なお、画像配色組み合わせは、スライド表示されるテンプレート画像データ１２の配色が色相環７１上のいずれの色（複数色を含む）であっても対応できるように、複数種類入力しておくことが好ましい。また、画像配色組み合わせは、必ずしも既述の図３０（Ａ）から図３０（Ｅ）に示した５つの配色の組み合わせのいずれかに従う必要はなく、ユーザが適宜選択することも可能である。
【０１５７】
組み合わせ決定部６７は、ユーザによる配色入力欄７２への入力内容に基づいて、画像配色組み合わせを決定し、この決定結果を示す組み合わせ決定情報を、候補画像取得部６１Ａへ出力する。
【０１５８】
図２８に戻って、候補画像取得部６１Ａは、表示制御部３７によるスライド画像切替処理の実行が決定された場合、表示部１６にスライド表示されるテンプレート画像データ１２の主要色を画像解析により判別すると共に、データ格納部２３に格納されている各写真画像データ３１の主要色を画像解析により判別する。なお、ここでいう「主要色」とは、既述の代表色と基本的に同じであり、例えば離れた位置からも十分に視認できる一定の面積以上を有する色である。
【０１５９】
次いで、候補画像取得部６１Ａは、組み合わせ決定部６７から入力された組み合わせ決定情報に基づき、表示部１６にスライド表示されるテンプレート画像データ１２の主要色に対応する主要色を有する写真画像データ３１の選別を行う。そして、候補画像取得部６１Ａは、選別した写真画像データ３１を、テンプレート画像データ１２の合成領域１２ａに合成する写真画像データ３１の候補としてデータ格納部２３から取得して、表示制御部３７へ出力する。
【０１６０】
なお、候補画像取得部６１Ａから表示制御部３７へ出力される写真画像データ３１の候補には、どのテンプレート画像データ１２の主要色に対応した主要色を有しているのかを示す識別情報が付加されている。これにより、表示制御部３７は、表示部１６に現在表示されているテンプレート画像データ１２の主要色に対応する主要色を有する写真画像データ３１の候補を判別することができる。
【０１６１】
第４実施形態の表示制御部３７は、スライド表示切替処理を行う場合に、各写真画像データ３１の候補に付加された識別情報に基づき、候補画像取得部６１Ａから入力された写真画像データ３１の候補の中で、表示部１６に現在表示されているテンプレート画像データ１２の主要色に対応する主要色を有する写真画像データ３１の候補を表示部１６に同時表示させる。
【０１６２】
また、表示制御部３７は、操作パネル２９を介してスライドボタン６２Ａのタッチ操作を受け付けた場合、表示部１６にテンプレート画像データ１２を所定の順番でスライド表示させる。この場合、表示制御部３７は、表示部１６に新たに表示されたテンプレート画像データ１２の主要色に対応する主要色を有する写真画像データ３１の候補を表示部１６に同時表示させる。
【０１６３】
［第４実施形態のタブレット端末の作用］
次に、図３１を用いて上記構成の第４実施形態のタブレット端末１０Ｂの作用について説明を行う。図３１は、タブレット端末１０Ｂによるテンプレート画像データ１２の表示処理の流れを示すフローチャートである。このタブレット端末１０Ｂにてテンプレート画像データ１２の選択画面起動操作がなされると、制御部２０はメモリ２１から読み出したプログラム２５を実行することにより画像解析部３６と、表示制御部３７と、着目領域設定部３８と、候補画像取得部６１Ａと、組み合わせ決定部６７として機能する。
【０１６４】
最初に組み合わせ決定部６７が、表示制御部３７を制御して、既述の図２９に示したような画像配色入力画面６９を表示部１６に表示させる（ステップＳ３０）。
【０１６５】
この画像配色入力画面６９の表示を受けて、ユーザは、例えば既述の図３０（Ａ）から図３０（Ｅ）に示した５つの配色の組み合わせを参考にして、既述の図２９に示したように色相環７１上のいずれかの配色（色相）を配色入力欄７２の「テンプレート画像欄」及び「写真画像欄」にそれぞれ入力するスワイプ操作またはフリック操作等を行う。これにより、配色入力欄７２に画像配色組み合わせが入力される。
【０１６６】
以下同様に、ユーザは、配色入力欄７２に複数種類の画像配色組み合わせを入力する。そして、ユーザによる配色入力欄７２への入力が完了すると、組み合わせ決定部６７は、配色入力欄７２への入力内容に基づいて画像配色組み合わせを決定し、この決定結果を示す組み合わせ決定情報を候補画像取得部６１Ａへ出力する（ステップＳ３１）。
【０１６７】
ステップＳ３１の処理後、ステップＳ２０までの処理は、既述の第３実施形態の図２６または第３実施形態の変形例の図２７にそれぞれ示したステップＳ２０までの処理の基本的に同じであるので、ここでは具体的な説明を省略する。なお、ステップＳ３０及びステップＳ３１の処理は、ステップＳ２０の処理までに完了していれば処理の実行タイミングは特に限定はされない。
【０１６８】
ステップＳ２０において、表示制御部３７により着目領域４４の内側にあるテンプレート画像データ１２の数が第２の閾値以下であるとの判定がなされた場合、すなわち、スライド表示切替処理の開始が決定された場合、候補画像取得部６１Ａが作動する。この候補画像取得部６１Ａは、表示部１６にスライド表示されるテンプレート画像データ１２の主要色と、データ格納部２３に格納されている各写真画像データ３１の主要色とを判別する（ステップＳ３４，Ｓ３５）。
【０１６９】
次いで、候補画像取得部６１Ａは、組み合わせ決定部６７から入力された組み合わせ決定情報に基づき、表示部１６にスライド表示されるテンプレート画像データ１２の主要色に対応する主要色を有する写真画像データ３１を選別する。そして、候補画像取得部６１Ａは、選別した写真画像データ３１をテンプレート画像データ１２の合成領域１２ａに合成する写真画像データ３１の候補としてデータ格納部２３から取得して、既述の識別情報と共に表示制御部３７へ出力する（ステップＳ３６）。
【０１７０】
表示制御部３７は、候補画像取得部６１Ａからの写真画像データ３１の候補の入力を受けて、既述の第３実施形態の図２４に示したようなスライド表示切替処理を実行する（ステップＳ２２Ａ）。この際に、表示制御部３７は、各写真画像データ３１の候補に付加されている識別情報に基づき、各写真画像データ３１の候補の中で、表示部１６に現在表示されているテンプレート画像データ１２の主要色に対応する主要色を有する写真画像データ３１の候補を表示部１６に同時表示させる。
【０１７１】
ユーザがスライドボタン６２Ａのタッチ操作を行うと、表示制御部３７は、操作パネル２９を介してタッチ操作の入力を受け付けて、テンプレート画像データ１２を所定の順番でスライド表示させる。また、表示制御部３７は、テンプレート画像データ１２のスライド表示に応じて表示部１６に新たに表示されたテンプレート画像データ１２の主要色に対応する主要色を有する写真画像データ３１の候補を表示部１６に同時表示させる。
【０１７２】
これ以降の処理は、既述の第３実施形態の図２６または第３実施形態の変形例の図２７に示した処理と基本的に同じであるので、ここでは具体的な説明は省略する。
【０１７３】
［第４実施形態の効果］
以上のように、第４実施形態のタブレット端末１０Ｂでは、スライド表示切替処理を行った際に、予め決定した画像配色組み合わせに対応した写真画像データ３１の候補を表示部１６に同時に表示させるようにしたので、表示部１６に表示させる写真画像データ３１の候補を絞ることができる。その結果、テンプレート画像データ１２の合成領域１２ａに合成するのに適した写真画像データ３１の候補を効率良く検索することができる。
【０１７４】
［第５実施形態のタブレット端末］
次に、図３２を用いて第５実施形態のタブレット端末１０Ｃについて説明を行う。図３２は、タブレット端末１０Ｃの電気的構成を示すブロック図である。上記第１実施形態のタブレット端末１０では、データ格納部２３に格納されている全てのテンプレート画像データ１２を含む選択画面４２の表示を行っている。これに対して、第５実施形態のタブレット端末１０Ｃでは、ユーザの嗜好に合致するテンプレート画像データ１２だけを含む選択画面４２Ａ（図３４参照）の表示を行う。
【０１７５】
なお、第５実施形態のタブレット端末１０Ｃは、プログラム２５を実行した制御部２０が、画像解析部３６及び表示制御部３７及び着目領域設定部３８の他に、嗜好情報取得部７５として機能する点を除けば、上記第１実施形態のタブレット端末１０と基本的に同じ構成である。このため、上記第１実施形態と機能・構成上同一のものについては、同一符号を付してその説明は省略する。
【０１７６】
嗜好情報取得部７５は、ユーザの嗜好に対応した感性語の傾向を示す嗜好情報を取得する。具体的に嗜好情報取得部７５は、プログラム２５の起動時に、表示制御部３７を制御して、ユーザによる嗜好情報の入力を求める嗜好情報入力画面７７（図３３参照）を表示させる。なお、嗜好情報入力画面７７の表示のタイミング（嗜好情報の取得のタイミング）は、選択画面４２Ａ（図３４参照）の表示前であれば特に限定されない。
【０１７７】
図３３は、嗜好情報入力画面７７の一例を示した正面図である。図３３に示すように、嗜好情報入力画面７７には、既述の図４に示した様々な感性語を想起させる複数のサンプル画像７８が表示されている。従って、嗜好情報入力画面７７上でユーザが好ましいと感じるサンプル画像７８を、ユーザにタッチ操作等で１又は複数選択させる選択操作を実行させることによりユーザの嗜好情報が得られる。
【０１７８】
本例では、選択されたサンプル画像７８の種類（複数種類を含む）と、嗜好情報（感性語）との関係は予めテーブル化されているので、嗜好情報取得部７５は、ユーザによるサンプル画像７８の選択結果に基づき、ユーザの嗜好情報を取得することができる。嗜好情報取得部７５は、取得した嗜好情報を表示制御部３７へ出力する。なお、ユーザの嗜好情報を取得する方法は、図３３に示した例に限定されるものでなく、公知の各種手法を用いてもよい。
【０１７９】
図３４は、第５実施形態の表示制御部３７により表示面に表示される選択画面４２Ａの一例を示す正面図である。図３４に示すように、表示制御部３７は、嗜好情報取得部７５から入力された嗜好情報に基づき、画像解析データ３３を参照して、データ格納部２３内から嗜好情報が示す感性語の傾向に対応したテンプレート画像データ１２を選択及び取得し、選択及び取得したテンプレート画像データ１２に対応する選択画面４２Ａを表示部１６に表示させる。
【０１８０】
［第５実施形態のタブレット端末の作用］
次に、図３５を用いて上記構成の第５実施形態のタブレット端末１０Ｃの作用について説明を行う。図３５は、タブレット端末１０Ｃによるテンプレート画像データ１２の表示処理の流れを示すフローチャートである。
【０１８１】
タブレット端末１０Ｃにてテンプレート画像データ１２の選択画面起動操作がなされると、制御部２０はメモリ２１から読み出したプログラム２５を実行することにより画像解析部３６と、表示制御部３７と、着目領域設定部３８と、嗜好情報取得部７５として機能する（ステップＳ４０）。
【０１８２】
最初に、嗜好情報取得部７５が、表示制御部３７を制御して、既述の図３３に示したような嗜好情報入力画面７７を表示部１６に表示させる（ステップＳ４１）。この嗜好情報入力画面７７の表示を受けて、ユーザは、嗜好情報入力画面７７上において好みのサンプル画像７８をタッチ操作等で１又は複数選択する選択操作を行う。嗜好情報取得部７５は、操作パネル２９を介して選択操作の入力を受け付け（ステップＳ４２）、ユーザによるサンプル画像７８の選択結果に基づき、ユーザの嗜好情報を取得する（ステップＳ４３）。そして、嗜好情報取得部７５は、取得した嗜好情報を表示制御部３７へ出力する。
【０１８３】
次いで、既述の第１実施形態の図３及び図１６のステップＳ２で説明したように、画像解析部３６によるデータ格納部２３内のテンプレート画像データ１２の解析が実行され、画像解析データ３３がデータ格納部２３に格納される。
【０１８４】
画像解析部３６による画像解析の終了後、表示制御部３７は、嗜好情報取得部７５から入力された嗜好情報に基づき、画像解析データ３３を参照して、データ格納部２３内から嗜好情報が示す感性語の傾向に対応したテンプレート画像データ１２を選択及び取得する（ステップＳ４５）。次いで、表示制御部３７は、選択及び取得したテンプレート画像データ１２に対応する選択画面４２Ａを表示部１６に表示させる（ステップＳ４６）。
【０１８５】
これ以降の処理は、既述の第１実施形態の図１６に示したステップＳ４以降の処理と基本的に同じであるので、ここでは具体的な説明を省略する。
【０１８６】
［第５実施形態の効果］
以上のように、第５実施形態のタブレット端末１０Ｃでは、ユーザの嗜好に合致するテンプレート画像データ１２だけを含む選択画面４２Ａの表示を行うため、テンプレート画像データ１２が多数存在している場合でも、感性空間上に表示されるテンプレート画像データ１２の数を減らすことができる。その結果、ユーザは、着目領域４４の設定を効率良く行うことができる。
【０１８７】
なお、上記第２実施形態から第４実施形態においても、第５実施形態と同様にユーザの嗜好に合致するテンプレート画像データ１２だけを含む選択画面４２Ａの表示を行うようにしてもよい。
【０１８８】
［その他］
上記各実施形態では、既述の図１０及び図１１で説明したように、着目領域設定部３８が、領域指定操作で指定された表示部１６の表示面の一部の領域を着目領域４４として設定する第１の設定モードについて説明したが、領域指定操作で指定された表示部１６の表示面の一部の領域とは異なる表示面内の領域を着目領域４４Ｂ（図３７参照）として設定する第２の設定モードを実行してもよい。
【０１８９】
図３６は、第２の設定モードでの領域指定操作を説明するための説明図であり、図３７は、図３６に示した領域指定操作による着目領域４４Ｂの設定について説明するための説明図である。
【０１９０】
図３６に示すように、第２の設定モードにおいては、ユーザは、好みに合致しないテンプレート画像データ１２が含まれている表示部１６の表示面の一部の領域８０を指定する領域指定操作を行う。この場合、図３７に示すように、着目領域設定部３８は、領域指定操作で指定された一部の領域８０とは異なる表示面内の領域を着目領域４４Ｂとして設定する。この第２の設定モードと第１の設定モードとの切り替えは、操作部１７や操作パネル２９を操作して行うことができ、ユーザの領域指定操作の選択肢を広げることができる。なお、図３７中では着目領域４４Ｂの設定後に第１の移動処理が行われているが、着目領域４４Ｂ内のテンプレート画像データ１２の数に応じて、拡大画像表示切替処理やスライド表示切替処理を行ってもよい。
【０１９１】
上記各実施形態では、領域指定操作として表示部１６の表示面内の一部の領域を指定する軌跡を描くタッチ操作（図１０参照）を例に挙げて説明を行ったが、領域指定操作の別実施例の説明図である図３８に示すように、領域指定操作として上記各実施形態とは異なるタッチ操作を行ってもよい。このタッチ操作は、表示部１６の表示面内をタッチして前述の一部の領域の中心位置を決定し、且つタッチ時間に応じて一部の領域の大きさを決定する操作である。図中の符号ＲＡは、タッチ操作で決定される一部の領域を示したものである。
【０１９２】
上記各実施形態では、領域指定操作により表示部１６の表示面内の一部の領域を１つだけ指定しているが、表示面内の一部の領域を複数指定してもよい。図３９は、表示面内の一部の領域を複数指定する場合の領域指定操作を説明するための説明図であり、図４０は、図３９に示した領域指定操作に伴う第１の移動処理について説明するための説明図である。
【０１９３】
図３９に示すように、表示部１６の表示面内の一部の領域を複数指定する場合の領域指定操作として、例えば、複数の一部の領域をそれぞれ指定する軌跡を一筆で描くタッチ操作を行ってもよい。このタッチ操作がなされると、着目領域設定部３８は、タッチ操作で描かれた軌跡の内側の領域を着目領域４４として表示部１６の表示面内に設定する。そして、図４０に示すように、表示制御部３７は、表示面内において着目領域４４Ａ（着目領域４４）の内側と外側とにあるテンプレート画像データ１２を識別した後、第１の移動処理を行う。
【０１９４】
なお、第１の移動処理を行う代わりに、着目領域４４Ｂ内のテンプレート画像データ１２の数に応じて、拡大画像表示切替処理やスライド表示切替処理を行ってもよい。また、表示面内の一部の領域を複数指定する際に、複数の一部の領域をそれぞれ指定する軌跡を一筆で描くタッチ操作を行う代わりに、複数の一部の領域を個別に指定する軌跡を描くタッチ操作を行ってもよい。また、既述の図３８で説明したタッチ操作を複数本の指ＰＦで同時に行うことで、表示面内の一部の領域を複数指定してもよい。
【０１９５】
上記各実施形態では、テンプレート画像データ１２を解析して得られるテンプレート画像データ１２の特徴量として感性語を例に挙げて説明を行っているが、この特徴量が例えばデザイン特徴量（色特徴量、柄特徴量、形特徴量、及び質感特徴量の少なくともいずれか１つを含む）などの感性語以外の特徴量であってよい。この場合、選択画面４２は、感性語以外の特徴量を座標軸とする空間上にテンプレート画像データ１２を配置した画像になる。
【０１９６】
上記各実施形態では、タブレット端末にデータ格納部２３が設けられているが、データ格納部２３がタブレット端末とは別体（例えば各種通信ネットワーク回線を介して接続可能なサーバや端末など）であってもよい。
【０１９７】
上記各実施形態では、本発明の商品画像としてポストカードのテンプレート画像データ１２を例に挙げて説明を行ったが、ポストカード以外の各種商品の商品画像を表示する場合に本発明を適用することができる。
【０１９８】
上述の各実施形態で説明したタブレット端末のプログラム２５をＣＤ−ＲＯＭ（Compact Disc Read Only Memory）や磁気ディスクやその他のコンピュータ可読媒体（有体物たる非一時的な情報記憶媒体）に記録し、情報記憶媒体を通じてプログラムを提供することが可能である。このような情報記憶媒体にプログラムを記憶させて提供する態様に代えて、インターネットなどの通信ネットワークを利用してプログラム信号をダウンロードサービスとして提供することも可能である。
【０１９９】
また、本発明を適用可能な態様は、タブレット端末には限定されず、表示出力機能を備えるモバイル機器類（携帯電話機やスマートフォン、ＰＤＡ（Personal Digital Assistants）、携帯型ゲーム機、及びデジタルカメラ等）や、モニタ等の表示部に接続されたパーソナルコンピュータや映像再生装置などの各種表示出力装置に対しても適用可能である。以下、本発明を適用可能なスマートフォンの一例について説明する。
【０２００】
＜スマートフォンの構成＞
図４１は、本発明を適用可能なスマートフォン５００の外観斜視図である。図４１に示すスマートフォン５００は、平板状の筐体５０２を有し、筐体５０２の一方の面に表示部としての表示パネル５２１と、入力部としての操作パネル５２２とが一体となった表示入力部５２０を備えている。また、筐体５０２は、スピーカ５３１と、マイクロホン５３２、操作部５４０と、カメラ部５４１と、ＬＥＤ（Light Emitting Diode）発光部５４２とを備えている。尚、筐体５０２の構成はこれに限定されず、例えば、表示部と入力部とが独立した構成を採用することや、折り畳み構造やスライド機構を有する構成を採用することもできる。
【０２０１】
図４２は、図４１に示したスマートフォン５００の電気的構成を示すブロック図である。図４２に示すように、スマートフォン５００の主たる構成要素として、無線通信部５１０と、表示入力部５２０と、通話部５３０と、操作部５４０と、カメラ部５４１と、記憶部５５０と、外部入出力部５６０と、ＧＰＳ(Global Positioning System)受信部５７０と、モーションセンサ部５８０と、電源部５９０と、主制御部５０１とを備える。また、スマートフォン５００の主たる機能として、基地局装置と移動通信網とを介した移動無線通信を行う無線通信機能を備える。
【０２０２】
無線通信部５１０は、主制御部５０１の指示に従って、移動通信網に収容された基地局装置に対し無線通信を行うものである。この無線通信を使用して、音声データ、画像データ等の各種ファイルデータ、電子メールデータなどの送受信や、Ｗｅｂデータやストリーミングデータなどの受信を行う。
【０２０３】
表示入力部５２０は、主制御部５０１の制御により、画像（静止画及び動画）や文字情報などを表示して視覚的にユーザに情報を伝達すると共に、表示した情報に対するユーザ操作を検出する、いわゆるタッチパネルであって、表示パネル５２１と、操作パネル５２２とを備える。生成された３Ｄ画像を鑑賞する場合には、表示パネル５２１は、３Ｄ表示パネルであることが好ましい。
【０２０４】
表示パネル５２１は、ＬＣＤ(Liquid Crystal Display)、ＯＥＬＤ(Organic Electro-Luminescence Display)などを表示デバイスとして用いたものである。
【０２０５】
操作パネル５２２は、表示パネル５２１の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部５０１に出力する。次いで、主制御部５０１は、受信した検出信号に基づいて、表示パネル５２１上の操作位置（座標）を検出する。
【０２０６】
図４１に示すように、スマートフォン５００の表示パネル５２１と操作パネル５２２とは一体となって表示入力部５２０を構成しているが、操作パネル５２２が表示パネル５２１を完全に覆うような配置となっている。この配置を採用した場合、操作パネル５２２は、表示パネル５２１外の領域についても、ユーザ操作を検出する機能を備えてもよい。換言すると、操作パネル５２２は、表示パネル５２１に重なる重畳部分についての検出領域（以下、表示領域と称する）と、それ以外の表示パネル５２１に重ならない外縁部分についての検出領域（以下、非表示領域と称する）とを備えていてもよい。
【０２０７】
尚、表示領域の大きさと表示パネル５２１の大きさとを完全に一致させても良いが、両者を必ずしも一致させる必要はない。また、操作パネル５２２が、外縁部分と、それ以外の内側部分の２つの感応領域を備えていてもよい。更に、外縁部分の幅は、筐体５０２の大きさなどに応じて適宜設計されるものである。更にまた、操作パネル５２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【０２０８】
通話部５３０は、スピーカ５３１やマイクロホン５３２を備え、マイクロホン５３２を通じて入力されたユーザの音声を主制御部５０１にて処理可能な音声データに変換して主制御部５０１に出力したり、無線通信部５１０あるいは外部入出力部５６０により受信された音声データを復号してスピーカ５３１から出力したりするものである。また、図４１に示すように、例えば、スピーカ５３１及びマイクロホン５３２を表示入力部５２０が設けられた面と同じ面に搭載することができる。
【０２０９】
操作部５４０は、キースイッチなどを用いたハードウェアキーであって、ユーザからの指示を受け付けるものである。例えば、操作部５４０は、スマートフォン５００の筐体５０２の表示部の下部、下側面に搭載され、指などで押下されるとオンとなり、指を離すとバネなどの復元力によってオフ状態となる押しボタン式のスイッチである。
【０２１０】
記憶部５５０は、主制御部５０１の制御プログラムや制御データ、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部５５０は、スマートフォン内蔵の内部記憶部５５１と着脱自在な外部メモリスロットを有する外部記憶部５５２により構成される。尚、記憶部５５０を構成するそれぞれの内部記憶部５５１と外部記憶部５５２は、フラッシュメモリタイプ（flash memory type）、ハードディスクタイプ（hard disk type）、マルチメディアカードマイクロタイプ（multimedia card micro type）、カードタイプのメモリ（例えば、Micro SD（登録商標）メモリ等）、ＲＡＭ（Random Access Memory）、ＲＯＭ（Read Only Memory）などの格納媒体を用いて実現される。なお、記憶部５５０は、上記各実施形態のメモリ２１及びデータ格納部２３に相当する。
【０２１１】
外部入出力部５６０は、スマートフォン５００に連結される全ての外部機器とのインタフェースの役割を果たすものであり、他の外部機器に通信等（例えば、ユニバーサルシリアルバスなど）又はネットワーク（例えば、インターネット、無線ＬＡＮ（Local Area Network）、ブルートゥース（Bluetooth）（登録商標）、ＲＦＩＤ（Radio Frequency Identification）、赤外線通信（Infrared Data Association：ＩｒＤＡ）、ＵＷＢ（Ultra Wideband）（登録商標）、ジグビー（ZigBee）（登録商標）など）により直接的又は間接的に接続するためのものである。
【０２１２】
スマートフォン５００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるPDA、イヤホンなどがある。外部入出力部は、このような外部機器から伝送を受けたデータをスマートフォン５００の内部の各構成要素に伝達することや、スマートフォン５００の内部のデータが外部機器に伝送されるようにすることができる。
【０２１３】
ＧＰＳ受信部５７０は、主制御部５０１の指示に従って、ＧＰＳ衛星ＳＴ１〜ＳＴｎから送信されるＧＰＳ信号を受信し、受信した複数のＧＰＳ信号に基づく測位演算処理を実行し、当該スマートフォン５００の緯度、経度、高度からなる位置を検出する。ＧＰＳ受信部５７０は、無線通信部５１０や外部入出力部５６０（例えば、無線ＬＡＮ）から位置情報を取得できるときには、その位置情報を用いて位置を検出することもできる。
【０２１４】
モーションセンサ部５８０は、例えば、３軸の加速度センサなどを備え、主制御部５０１の指示に従って、スマートフォン５００の物理的な動きを検出する。スマートフォン５００の物理的な動きを検出することにより、スマートフォン５００の動く方向や加速度が検出される。この検出結果は、主制御部５０１に出力されるものである。
【０２１５】
電源部５９０は、主制御部５０１の指示に従って、スマートフォン５００の各部に、バッテリ（図示しない）に蓄えられる電力を供給するものである。
【０２１６】
主制御部５０１は、マイクロプロセッサを備え、記憶部５５０が記憶する制御プログラムや制御データに従って動作し、スマートフォン５００の各部を統括して制御するものである。また、主制御部５０１は、無線通信部５１０を通じて、音声通信やデータ通信を行うために、通信系の各部を制御する移動通信制御機能と、アプリケーション処理機能を備える。
【０２１７】
アプリケーション処理機能は、記憶部５５０が記憶するアプリケーションソフトウェアに従って主制御部５０１が動作することにより実現するものである。アプリケーション処理機能としては、例えば、外部入出力部５６０を制御して対向機器とデータ通信を行う赤外線通信機能や、電子メールの送受信を行う電子メール機能、Webページを閲覧するWebブラウジング機能などがある。
【０２１８】
また、主制御部５０１は、受信データやダウンロードしたストリーミングデータなどの画像データ（静止画や動画のデータ）に基づいて、映像を表示入力部５２０に表示する等の画像処理機能を備える。画像処理機能とは、主制御部５０１が、上記画像データを復号し、この復号結果に画像処理を施して、画像を表示入力部５２０に表示する機能のことをいう。
【０２１９】
更に、主制御部５０１は、表示パネル５２１に対する表示制御と、操作部５４０、操作パネル５２２を通じたユーザ操作を検出する操作検出制御を実行する。
【０２２０】
表示制御の実行により、主制御部５０１は、アプリケーションソフトウェアを起動するためのアイコンや、スクロールバーなどのソフトウェアキーを表示し、あるいは電子メールを作成するためのウィンドウを表示する。尚、スクロールバーとは、表示パネル５２１の表示領域に収まりきれない大きな画像などについて、画像の表示部分を移動する指示を受け付けるためのソフトウェアキーのことをいう。
【０２２１】
また、操作検出制御の実行により、主制御部５０１は、操作部５４０を通じたユーザ操作を検出したり、操作パネル５２２を通じて、上記アイコンに対する操作や、上記ウィンドウの入力欄に対する文字列の入力を受け付けたり、あるいは、スクロールバーを通じた表示画像のスクロール要求を受け付ける。
【０２２２】
更に、操作検出制御の実行により主制御部５０１は、操作パネル５２２に対する操作位置が、表示パネル５２１に重なる重畳部分（表示領域）か、それ以外の表示パネル５２１に重ならない外縁部分（非表示領域）かを判定し、操作パネル５２２の感応領域や、ソフトウェアキーの表示位置を制御するタッチパネル制御機能を備える。
【０２２３】
また、主制御部５０１は、操作パネル５２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【０２２４】
カメラ部５４１は、ＣＭＯＳ（Complementary Metal Oxide Semiconductor）型あるいはＣＣＤ（charge-coupled device）型の撮像素子を用いて電子撮像する撮像装置である。
【０２２５】
ＬＥＤ発光部５４２は、白色ＬＥＤ及び近赤外ＬＥＤを有し、可視光画像撮像モード時に被写体の光量が不足する場合には、白色ＬＥＤを点灯し、可視光画像撮像時の補助光として白色ＬＥＤから白色光を発光し、近赤外光画像撮像モード時に近赤外ＬＥＤを点灯し、近赤外光画像撮像時の補助光として近赤外ＬＥＤから近赤外光を発光する。また、近赤外ＬＥＤは、赤外線通信機能を有するスマートフォン５００の場合、赤外線通信の光源として使用することも可能である。
【０２２６】
また、カメラ部５４１は、主制御部５０１の制御により、撮像によって得た画像データを、例えばJPEG(Joint Photographic coding Experts Group)などの圧縮した画像データに変換し、記憶部５５０に記録したり、外部入出力部５６０や無線通信部５１０を通じて出力したりすることができる。図４１に示すにスマートフォン５００において、カメラ部５４１は表示入力部５２０と同じ面に搭載されているが、カメラ部５４１の搭載位置はこれに限らず、表示入力部５２０の背面に搭載されてもよいし、あるいは、複数のカメラ部５４１が搭載されてもよい。尚、複数のカメラ部５４１が搭載されている場合には、撮像に供するカメラ部５４１を切り替えて単独にて撮像したり、あるいは、複数のカメラ部５４１を同時に使用して撮像したりすることもできる。
【０２２７】
また、カメラ部５４１はスマートフォン５００の各種機能に利用することができる。例えば、表示パネル５２１にカメラ部５４１で取得した画像を表示することや、操作パネル５２２の操作入力のひとつとして、カメラ部５４１の画像を利用することができる。また、ＧＰＳ受信部５７０が位置を検出する際に、カメラ部５４１からの画像を参照して位置を検出することもできる。更には、カメラ部５４１からの画像を参照して、３軸の加速度センサを用いずに、あるいは、３軸の加速度センサと併用して、スマートフォン５００のカメラ部５４１の光軸方向を判断することや、現在の使用環境を判断することもできる。勿論、カメラ部５４１からの画像をアプリケーションソフトウェア内で利用することもできる。
【０２２８】
主制御部５０１は、上記各実施形態の制御部２０と同等の機能を有するものであり、本発明の商品画像表示制御装置に相当するものである。
【符号の説明】
【０２２９】
１０…タブレット端末，１０Ａ〜１０Ｃ…タブレット端末，１２…テンプレート画像データ，１２ａ…合成領域，１６…表示部，２０…制御部，２３…データ格納部，２８…表示パネル，２９…操作パネル，３１…写真画像データ，３６…画像解析部，３７…表示制御部，３８…着目領域設定部，４２…選択画面，４４…着目領域，４４Ａ…着目領域，５０…拡大画像データ，６１…候補画像取得部，６７…組み合わせ決定部，７５…嗜好情報取得部
【図１】
0006414982.tif 000002
【図２】
0006414982.tif 000003
【図３】
0006414982.tif 000004
【図４】
0006414982.tif 000005
【図５】
0006414982.tif 000006
【図６】
0006414982.tif 000007
【図７】
0006414982.tif 000008
【図８】
0006414982.tif 000009
【図９】
0006414982.tif 000010
【図１０】
0006414982.tif 000011
【図１１】
0006414982.tif 000012
【図１２】
0006414982.tif 000013
【図１３】
0006414982.tif 000014
【図１４】
0006414982.tif 000015
【図１５】
0006414982.tif 000016
【図１６】
0006414982.tif 000017
【図１７】
0006414982.tif 000018
【図１８】
0006414982.tif 000019
【図１９】
0006414982.tif 000020
【図２０】
0006414982.tif 000021
【図２１】
0006414982.tif 000022
【図２２】
0006414982.tif 000023
【図２３】
0006414982.tif 000024
【図２４】
0006414982.tif 000025
【図２５】
0006414982.tif 000026
【図２６】
0006414982.tif 000027
【図２７】
0006414982.tif 000028
【図２８】
0006414982.tif 000029
【図２９】
0006414982.tif 000030
【図３０】
0006414982.tif 000031
【図３１】
0006414982.tif 000032
【図３２】
0006414982.tif 000033
【図３３】
0006414982.tif 000034
【図３４】
0006414982.tif 000035
【図３５】
0006414982.tif 000036
【図３６】
0006414982.tif 000037
【図３７】
0006414982.tif 000038
【図３８】
0006414982.tif 000039
【図３９】
0006414982.tif 000040
【図４０】
0006414982.tif 000041
【図４１】
0006414982.tif 000042
【図４２】
0006414982.tif 000043